(57)【要約】  本発明の一実施例による無線通信システムにおいて、端末が下りリンク信号を受信する方法は、ＣＳＩ−ＲＳリソースに対する設定を受信するステップと、ＧＣ−ＰＤＣＣＨを通じてスロットフォーマット関連情報（ＳＦＩ）を受信するステップと、を含み、前記端末は、前記ＧＣ−ＰＤＣＣＨを通じて受信されたＳＦＩによって、前記ＣＳＩ−ＲＳリソース上でＣＳＩ−ＲＳを受信するか、又は前記ＣＳＩ−ＲＳの受信を非活性化して、前記ＳＦＩはスロットを構成する複数のリソースの各々がＤリソースであるか、Ｕリソースであるか、又はＤ／Ｕが決定されていない第３のリソースであるかを指示して、前記ＧＣ−ＰＤＣＣＨのＳＦＩが前記ＣＳＩ−ＲＳリソース上に前記Ｕリソース及び前記第３のリソースのうちいずれか１つでも設定する場合には、前記端末は前記ＣＳＩ−ＲＳリソース上に予定されていた前記ＣＳＩ−ＲＳの受信を非活性化することができる。【選択図】  図８
2019528633.tif 000002
【特許請求の範囲】
【請求項１】
無線通信システムにおいて、端末が下りリンク信号を受信する方法であって、
ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を受信するステップと、
ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を受信するステップと、を含み、
前記端末は、前記ＧＣ−ＰＤＣＣＨを通じて受信されたＳＦＩによって、前記ＣＳＩ−ＲＳリソース上でＣＳＩ−ＲＳを受信するか、又は前記ＣＳＩ−ＲＳの受信を非活性化して、
前記ＳＦＩはスロットを構成する複数のリソースの各々がＤ（ｄｏｗｎｌｉｎｋ）リソースであるか、Ｕ（ｕｐｌｉｎｋ）リソースであるか、又はＤ／Ｕが決定されていない第３のリソースであるかを指示して、
前記ＧＣ−ＰＤＣＣＨのＳＦＩが前記ＣＳＩ−ＲＳリソース上に前記Ｕリソース及び前記第３のリソースのうちいずれか１つでも設定する場合、前記端末は、前記ＣＳＩ−ＲＳリソース上に予定されていた前記ＣＳＩ−ＲＳの受信を非活性化する、方法。
【請求項２】
前記ＧＣ−ＰＤＣＣＨのＳＦＩが前記ＣＳＩ−ＲＳリソースを前記Ｄリソースとして設定する場合、前記端末は、前記ＣＳＩ−ＲＳリソース上で前記ＣＳＩ−ＲＳを受信する、請求項１に記載の方法。
【請求項３】
さらに、上りリンク又は下りリンク信号をスケジュールするＤＣＩ（ｄｏｗｎｌｉｎｋ ｃｏｎｔｒｏｌ ｉｎｆｏｒｍａｔｉｏｎ）を受信するステップを含み、
前記ＤＣＩは、前記ＧＣ−ＰＤＣＣＨのＳＦＩによる前記第３のリソースの設定をオーバーライド（ｏｖｅｒｒｉｄｅ）できる、請求項１に記載の方法。
【請求項４】
前記ＤＣＩによってスケジュールされた信号が、前記ＧＣ−ＰＤＣＣＨのＳＦＩによる前記第３のリソースに位置する場合、前記端末は、前記第３のリソース上で前記ＤＣＩによって上りリンク信号の送信又は下りリンク信号の受信を行う、請求項３に記載の方法。
【請求項５】
前記ＤＣＩが前記ＧＣ−ＰＤＣＣＨのＳＦＩによる前記Ｄリソース及び前記Ｕリソースの設定をオーバーライドすることは、許容されない、請求項３に記載の方法。
【請求項６】
前記ＧＣ−ＰＤＣＣＨのＳＦＩは、前記端末に準静的（ｓｅｍｉ−ｓｔａｔｉｃ）設定によって指示された第３のリソース候補のうち前記第３のリソースを指示する、請求項１に記載の方法。
【請求項７】
準静的（ｓｅｍｉ−ｓｔａｔｉｃ）設定によるリソースのうちオーバーライド（ｏｖｅｒｒｉｄｅ）が許容されないリソースに対しては、前記ＧＣ−ＰＤＣＣＨのＳＦＩが前記準静的設定と異なるようにリソースを構成することが許容されない、請求項１に記載の方法。
【請求項８】
前記端末に設定された非承認（ｇｒａｎｔ−ｆｒｅｅ）送信リソース内に前記ＳＦＩによって前記第３のリソースが設定される場合、前記第３のリソース上では非承認送信が行われない、請求項１に記載の方法。
【請求項９】
前記第３のリソースは、フレキシブル（Ｆｌｅｘｉｂｌｅ）リソースである、請求項１に記載の方法。
【請求項１０】
無線通信システムにおいて、基地局が下りリンク信号を送信する方法であって、
ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を送信するステップと、
少なくとも１つの端末を含む端末グループに、ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を送信するステップと、を含み、
前記基地局は、前記ＳＦＩによってスロットを構成する複数のリソースの各々がＤ（ｄｏｗｎｌｉｎｋ）リソースであるか、Ｕ（ｕｐｌｉｎｋ）リソースであるか、又はＤ／Ｕが決定されていない第３のリソースであるかを前記端末グループに指示して、
前記基地局は、前記ＧＣ−ＰＤＣＣＨのＳＦＩによって前記ＣＳＩ−ＲＳリソース上に前記Ｕリソース及び前記第３のリソースのうち少なくともいずれか１つを設定して、前記ＣＳＩ−ＲＳリソース上に予定されていた前記端末グループの前記ＣＳＩ−ＲＳの受信を非活性化させる、方法。
【請求項１１】
さらに、上りリンク又は下りリンク信号をスケジュールするＤＣＩ（ｄｏｗｎｌｉｎｋ ｃｏｎｔｒｏｌ ｉｎｆｏｒｍａｔｉｏｎ）を前記端末グループの特定の端末に送信するステップを含み、
前記ＤＣＩは、前記ＧＣ−ＰＤＣＣＨのＳＦＩによる前記第３のリソースの設定をオーバーライド（ｏｖｅｒｒｉｄｅ）できる、請求項１０に記載の方法。
【請求項１２】
前記ＤＣＩによってスケジュールされた信号が、前記ＧＣ−ＰＤＣＣＨのＳＦＩによる前記第３のリソースに位置する場合、前記基地局は、前記第３のリソース上で前記ＤＣＩによる上りリンク信号の受信又は下りリンク信号を送信を行う、請求項１１に記載の方法。
【請求項１３】
前記ＤＣＩが前記ＧＣ−ＰＤＣＣＨのＳＦＩによる前記Ｄリソース及び前記Ｕリソースの設定をオーバーライドすることは許容されない、請求項１１に記載の方法。
【請求項１４】
前記基地局は、前記端末グループに準静的（ｓｅｍｉ−ｓｔａｔｉｃ）設定によって指示した第３のリソース候補のうち前記第３のリソースを前記ＧＣ−ＰＤＣＣＨのＳＦＩによって指示する、請求項１０に記載の方法。
【請求項１５】
端末において、
送受信機と、
前記送受信機を制御することで、ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を受信して、ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を受信するプロセッサーと、を含み、
前記プロセッサーは、前記ＧＣ−ＰＤＣＣＨを通じて受信されたＳＦＩによって、前記ＣＳＩ−ＲＳリソース上でＣＳＩ−ＲＳを受信するか、又は前記ＣＳＩ−ＲＳの受信を非活性化して、 
前記ＳＦＩはスロットを構成する複数のリソースの各々がＤ（ｄｏｗｎｌｉｎｋ）リソースであるか、Ｕ（ｕｐｌｉｎｋ）リソースでるか、又はＤ／Ｕが決定されていない第３のリソースであるかを指示して、
前記ＧＣ−ＰＤＣＣＨのＳＦＩが前記ＣＳＩ−ＲＳリソース上に前記Ｕリソース及び前記第３のリソースのうちいずれか１つでも設定する場合、前記プロセッサーは、前記ＣＳＩ−ＲＳリソース上に予定されていた前記ＣＳＩ−ＲＳの受信を非活性化する、端末。
【発明の詳細な説明】
【技術分野】
【０００１】
本発明は無線通信システムに関し、より具体的には、下りリンク信号を送信又は受信する方法及びそのための装置に関する。
【背景技術】
【０００２】
まず、既存の３ＧＰＰ  ＬＴＥ／ＬＴＥ−Ａシステムについて簡略に説明する。図１を参照すると、端末は初期セル探索を行う（Ｓ１０１）。初期セル探索の過程において、端末は基地局からＰ−ＳＣＨ（Ｐｒｉｍａｒｙ  Ｓｙｎｃｈｒｏｎｉｚａｔｉｏｎ  Ｃｈａｎｎｅｌ）及びＳ−ＳＣＨ（Ｓｅｃｏｎｄａｒｙ  Ｓｙｎｃｈｒｏｎｉｚａｔｉｏｎ  Ｃｈａｎｎｅｌ）を受信して基地局と下りリンク同期を確立し、セルＩＤなどの情報を得る。その後、端末はＰＢＣＨ（Ｐｈｙｓｉｃａｌ  Ｂｒｏａｄｃａｓｔ  Ｃｈａｎｎｅｌ）を介してシステム情報（ｅ．ｇ．，ＭＩＢ）を得る。端末はＤＬＲＳ（Ｄｏｗｎｌｉｎｋ  Ｒｅｆｅｒｅｎｃｅ  Ｓｉｇｎａｌ）を受信して下りリンクチャンネル状態を確認することができる。
【０００３】
初期セル探索の後、端末はＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＣＣＨによりスケジュールされたＰＤＳＣＨ（Ｐｈｙｓｉｃａｌ  Ｄｏｗｎｌｉｎｋ  Ｃｏｎｔｒｏｌ  Ｃｈａｎｎｅｌ）を受信して、より具体的なシステム情報（ｅ．ｇ．，ＳＩＢｓ）を得る（Ｓ１０２）。
【０００４】
端末は上りリンク同期化のために任意接続の過程（Ｒａｎｄｏｍ  Ａｃｃｅｓｓ  Ｐｒｏｃｅｄｕｒｅ）を行うことができる。端末はＰＲＡＣＨ（Ｐｈｙｓｉｃａｌ  Ｒａｎｄｏｍ  Ａｃｃｅｓｓ  Ｃｈａｎｎｅｌ）を介してプリアンブル（ｅ．ｇ．，Ｍｓｇ１）を送信し（Ｓ１０３）、ＰＤＣＣＨ及びＰＤＣＣＨに対応するＰＤＳＣＨを介してプリアンブルに対する応答メッセージ（ｅ．ｇ．，Ｍｓｇ２）を受信する（Ｓ１０４）。競争基盤任意接続の場合は、さらにＰＲＡＣＨの送信（Ｓ１０５）及びＰＤＣＣＨ／ＰＤＳＣＨの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）が行われる。
【０００５】
その後、端末は、一般的な上り／下りリンク信号の送信手順としてＰＤＣＣＨ／ＰＤＳＣＨの受信（Ｓ１０７）及びＰＵＳＣＨ（Ｐｈｙｓｉｃａｌ  Ｕｐｌｉｎｋ  Ｓｈａｒｅｄ  Ｃｈａｎｎｅｌ）／ＰＵＣＣＨ（Ｐｈｙｓｉｃａｌ  Ｕｐｌｉｎｋ  Ｃｏｎｔｒｏｌ  Ｃｈａｎｎｅｌ）の送信（Ｓ１０８）を行う。端末が基地局にＵＣＩ（Ｕｐｌｉｎｋ  Ｃｏｎｔｒｏｌ  Ｉｎｆｏｒｍａｔｉｏｎ）を送信する。ＵＣＩはＨＡＲＱ  ＡＣＫ／ＮＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）及び／又はＲＩ（Ｒａｎｋ  Ｉｎｄｉｃａｔｉｏｎ）などを含む。
【発明の概要】
【発明が解決しようとする課題】
【０００６】
本発明で遂げようとする技術的課題は、端末が下りリンク信号をより効率的且つ正確に受信する方法を提供することである。
【０００７】
本発明の技術的課題は、上述した技術的課題に制限されず、その他の技術的課題が本発明の実施例から導出され得る。
【課題を解決するための手段】
【０００８】
上述した技術的課題を達成するための本発明の一実施例による無線通信システムにおいて、端末が下りリンク信号を受信する方法は、ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を受信するステップと、ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を受信するステップと、を含み、前記端末は、前記ＧＣ−ＰＤＣＣＨを通じて受信されたＳＦＩによって、前記ＣＳＩ−ＲＳリソース上でＣＳＩ−ＲＳを受信するか、又は前記ＣＳＩ−ＲＳの受信を非活性化して、前記ＳＦＩはスロットを構成する複数のリソースの各々がＤ（ｄｏｗｎｌｉｎｋ）リソースであるか、Ｕ（ｕｐｌｉｎｋ）リソースであるか、又はＤ／Ｕが決定されていない第３のリソースであるかを指示して、前記ＧＣ−ＰＤＣＣＨのＳＦＩが前記ＣＳＩ−ＲＳリソース上に前記Ｕリソース及び前記第３のリソースのうちいずれか１つでも設定する場合、前記端末は、前記ＣＳＩ−ＲＳリソース上に予定されていた前記ＣＳＩ−ＲＳの受信を非活性化することができる。
【０００９】
上述した技術的課題を達成するための本発明の別の一実施例による端末は、送受信機と、前記送受信機を制御することで、ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を受信して、ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を受信するプロセッサーと、を含み、前記プロセッサーは、前記ＧＣ−ＰＤＣＣＨを通じて受信されたＳＦＩによって、前記ＣＳＩ−ＲＳリソース上でＣＳＩ−ＲＳを受信するか、又は前記ＣＳＩ−ＲＳの受信を非活性化して、前記ＳＦＩはスロットを構成する複数のリソースの各々がＤ（ｄｏｗｎｌｉｎｋ）リソースであるか、Ｕ（ｕｐｌｉｎｋ）リソースでるか、又はＤ／Ｕが決定されていない第３のリソースであるかを指示して、前記ＧＣ−ＰＤＣＣＨのＳＦＩが前記ＣＳＩ−ＲＳリソース上に前記Ｕリソース及び前記第３のリソースのうちいずれか１つでも設定する場合、前記プロセッサーは、前記ＣＳＩ−ＲＳリソース上に予定されていた前記ＣＳＩ−ＲＳの受信を非活性化することができる。
【００１０】
上述した技術的課題を達成するための本発明の別の一実施例による基地局が下りリンク信号を送信する方法は、ＣＳＩ−ＲＳ（ｃｈａｎｎｅｌ ｓｔａｔｅ ｉｎｆｏｒｍａｔｉｏｎ−ｒｅｆｅｒｅｎｃｅ ｓｉｇｎａｌ）リソースに対する設定を送信するステップと、少なくとも１つの端末を含む端末グループに、ＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を送信するステップと、を含み、前記基地局は、前記ＳＦＩを通じてスロットを構成する複数のリソースの各々がＤ（ｄｏｗｎｌｉｎｋ）リソースであるか、Ｕ（ｕｐｌｉｎｋ）リソースであるか、又はＤ／Ｕが決定されていない第３のリソースであるかを前記端末グループに指示して、前記基地局は、前記ＧＣ−ＰＤＣＣＨのＳＦＩを通じて前記ＣＳＩ−ＲＳリソース上に前記Ｕリソース及び前記第３のリソースのうち少なくとも１つを設定して、前記ＣＳＩ−ＲＳリソース上に予定されていた前記端末グループの前記ＣＳＩ−ＲＳの受信を非活性化させることができる。
【００１１】
本発明の別の一実施例による下りリンク信号送信方法を行うための基地局装置が提供される。
【００１２】
前記ＧＣ−ＰＤＣＣＨのＳＦＩが前記ＣＳＩ−ＲＳリソースを前記Ｄリソースとして設定する場合、前記端末は、前記ＣＳＩ−ＲＳリソース上で前記ＣＳＩ−ＲＳを受信することができる。
【００１３】
前記端末は、上りリンク又は下りリンク信号をスケジュールするＤＣＩ（ｄｏｗｎｌｉｎｋ ｃｏｎｔｒｏｌ ｉｎｆｏｒｍａｔｉｏｎ）を受信することができる。
【００１４】
前記ＤＣＩは、前記ＧＣ−ＰＤＣＣＨのＳＦＩによる前記第３のリソースの設定をオーバーライド（ｏｖｅｒｒｉｄｅ）することができる。
【００１５】
前記ＤＣＩによってスケジュールされた信号が、前記ＧＣ−ＰＤＣＣＨのＳＦＩによる前記第３のリソースに位置する場合、前記端末は、前記第３のリソース上で前記ＤＣＩによって上りリンク信号の送信又は下りリンク信号の受信を行うことができる。
【００１６】
前記ＤＣＩが前記ＧＣ−ＰＤＣＣＨのＳＦＩによる前記Ｄリソース及び前記Ｕリソースの設定をオーバーライドすることは、許容されなくてもよい。
【００１７】
前記ＧＣ−ＰＤＣＣＨのＳＦＩは、前記端末に準静的（ｓｅｍｉ−ｓｔａｔｉｃ）設定によって指示された第３のリソース候補のうち前記第３のリソースを指示することができる。
【００１８】
準静的（ｓｅｍｉ−ｓｔａｔｉｃ）設定によるリソースのうちオーバーライド（ｏｖｅｒｒｉｄｅ）が許容されないリソースに対しては、前記ＧＣ−ＰＤＣＣＨのＳＦＩが前記準静的設定と異なるようにリソースを構成することが許容されなくてもよい。
【００１９】
前記端末に設定された非承認（ｇｒａｎｔ−ｆｒｅｅ）送信リソース内に前記ＳＦＩによって前記第３のリソースが設定される場合、前記第３のリソース上では非承認送信が行われなくてもよい。
【００２０】
前記第３のリソースはフレキシブル（Ｆｌｅｘｉｂｌｅ）リソースであってもよい。
【発明の効果】
【００２１】
本発明の一実施例によれば、端末に設定されたＣＳＩ−ＲＳリソースに対して、別途ＧＣ−ＰＤＣＣＨを通じてＳＦＩが指示されても、端末は上り／下りリンクの衝突やリソース構成の曖昧さなく正しく動作することができる。
【００２２】
本発明の技術的効果は、上述した技術的効果に制限されず、その他の技術的効果が本発明の実施例から導出され得る。
【図面の簡単な説明】
【００２３】
【図１】３ＧＰＰ ＬＴＥ／ＬＴＥ−Ａシステムに用いられる物理チャンネル及びこれらを用いる一般的な信号送信方法を例示する図である。
【図２】本発明の一実施例によるスロットフォーマット指示を示す図である。
【図３】本発明の一実施例によるＧＣ−ＰＤＣＣＨとＤＣＩとの関係を示す図である。
【図４】本発明の別の一実施例によるＧＣ−ＰＤＣＣＨとＤＣＩとの関係を示す図である。
【図５】本発明の別の一実施例によるＧＣ−ＰＤＣＣＨとＤＣＩとの関係を示す図である。
【図６】本発明の一実施例によるＤＬ信号送信を説明するための図である。
【図７】本発明の別の一実施例によるＤＬ信号送信を説明するための図である。
【図８】本発明の一実施例による下りリンク信号の送受信方法のフローを示す図である。
【図９】本発明の一実施例による端末及び基地局を示す図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２５】
説明を明確にするために、３ＧＰＰベースの移動通信システムを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２６】
多数の通信機器がより大きな通信容量を要求することにより、最近論議されている次世代通信システムでは、既存の無線接続技術（ｒａｄｉｏ  ａｃｃｅｓｓ  ｔｅｃｈｎｏｌｏｇｙ、ＲＡＴ）に比べて向上したモバイルブロードバンド（ｅｎｈａｎｃｅｄ  Ｍｏｂｉｌｅ  Ｂｒｏａｄｂａｎｄ、ｅＭＢＢ）通信の必要性が高まっている。また多数の機器及び物を連結していつでもどこでも多様なサービスを提供する大規模ＭＴＣ（ｍａｓｓｉｖｅ  Ｍａｃｈｉｎｅ  Ｔｙｐｅ  Ｃｏｍｍｕｎｉｃａｔｉｏｎｓ、ｍＭＴＣ）も次世代通信において考慮すべき主要なイッシュである。信頼性（ｒｅｌｉａｂｉｌｉｔｙ）及び遅延（ｌａｔｅｎｃｙ）などに敏感なサービス／ＵＥを考慮して、次世代通信システムとしてＵＲＬＬＣ（Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ）が論議されている。
【００２７】
このようにｅＭＢＢ、ｍＭＴＣ及びＵＲＬＣＣなどを考慮した新しい無線接続技術（Ｎｅｗ  ＲＡＴ）が次世代無線通信のために論議されている。
【００２８】
Ｎｅｗ  ＲＡＴの設計とかち合わないＬＴＥ／ＬＴＥ−Ａの動作及び設定はＮｅｗ  ＲＡＴにも適用することができる。Ｎｅｗ  ＲＡＴは便宜上５Ｇ移動通信とも称する。
【００２９】
＜ＮＲフレーム構造及び物理リソース＞
【００３０】
ＮＲシステムにおいて、下りリンク（ＤＬ）及び上りリンク（ＵＬ）の送信は１０ｍｓの長さ（ｄｕｒａｔｉｏｎ）を有するフレームを介して行われ、各々のフレームは１０個のサブフレームを含む。従って１サブフレームは１ｍｓに該当する。各々のフレームは２つのハーフフレーム（ｈａｌｆ−ｆｒａｍｅ）に分けられる。
【００３１】
１つのサブフレームは、Nsymbsubframe，μ= Nsymbslot X Nslotsubframe，μ個の連続したＯＦＤＭシンボルを含む。Nsymbslotはスロット当たりのシンボル数、μはＯＦＤＭニューマロロジー（ｎｕｍｅｒｏｌｏｇｙ）を表し、Nslotsubframe，μは該当μに対してサブフレーム当たりのスロット数を表す。ＮＲでは表１のような多重ＯＦＤＭニューマロロジーが支援される。
【００３２】
【表１】
2019528633.tif 000003
【００３３】
表１において、Δｆはサブキャリア間隔（ｓｕｂｃａｒｒｉｅｒ  ｓｐａｃｉｎｇ、ＳＣＳ）を意味する。ＤＬキャリアＢＷＰ（ｂａｎｄｗｉｄｔｈ  ｐａｒｔ）に対するμ及びＣＰ（ｃｙｃｌｉｃ  ｐｒｅｆｉｘ）とＵＬキャリアＢＷＰに対するμ及びＣＰは、上りリンクシグナリングにより端末に設定される。
【００３４】
表２は、一般ＣＰの場合、各々のＳＣＳに対するスロット当たりのシンボル数（Nsymbslot）、フレーム当たりのスロット数（Nslotframe，μ）及びサブフレーム当たりのスロット数（Nslotsubframe，μ）を表す。
【００３５】
【表２】
2019528633.tif 000004
【００３６】
表３は、拡大ＣＰの場合、各々のＳＣＳに対するスロット当たりのシンボル数（Nsymbslot）、フレーム当たりのスロット数（Nslotframe，μ）及びサブフレーム当たりのスロット数（Nslotsubframe，μ）を表す。
【００３７】
【表３】
2019528633.tif 000005
【００３８】
このようにＮＲシステムではＳＣＳ（ｓｕｂｃａｒｒｉｅｒ  ｓｐａｃｉｎｇ）によって１サブフレームを構成するスロット数が変更できる。各々のスロットに含まれたＯＦＤＭシンボルはＤ（ＤＬ）、Ｕ（ＵＬ）及びＸ（Ｆｌｅｘｉｂｌｅ）のうちいずれかである。ＤＬ送信はＤ又はＸシンボルで行われ、ＵＬ送信はＵ又はＸシンボルで行われる。なお、Ｆｌｅｘｉｂｌｅリソース（ｅ．ｇ．，Ｘシンボル）はＲｅｓｅｒｖｅｄリソース、Ｏｔｈｅｒリソース又はＵｎｋｎｏｗｎリソースとも称される。
【００３９】
ＮＲにおいて、１つのＲＢ（ｒｅｓｏｕｒｃｅ  ｂｌｏｃｋ）は周波数ドメインで１２個のサブキャリアに該当する。ＲＢは多数のＯＦＤＭシンボルを含むことができる。ＲＥ（ｒｅｓｏｕｒｃｅ  ｅｌｅｍｅｎｔ）は１サブキャリア及び１ＯＦＤＭシンボルに該当する。従って、１ＲＢ内の１ＯＦＤＭシンボル上には１２ＲＥが存在する。
【００４０】
キャリアＢＷＰは連続するＰＲＢ（Ｐｈｙｓｉｃａｌ  ｒｅｓｏｕｒｃｅ  ｂｌｏｃｋ）のセットで定義される。キャリアＢＷＰは簡略にＢＷＰとも称される。１つのＵＥには最大４つのＢＷＰが上りリンク／下りリンクの各々に対して設定される。多重のＢＷＰが設定されても、与えられた時間の間には１つのＢＷＰが活性化される。但し、端末にＳＵＬ（ｓｕｐｐｌｅｍｅｎｔａｒｙ  ｕｐｌｉｎｋ）が設定された場合、さらに４つのＢＷＰがＳＵＬに対して設定され、与えられた時間の間に１つのＢＷＰが活性化される。端末は活性化されたＤＬ  ＢＷＰから外れると、ＰＤＳＣＨ、ＰＤＣＣＨ、ＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）又はＴＲＳ（ｔｒａｃｋｉｎｇ  ｒｅｆｅｒｅｎｃｅ  ｓｉｇｎａｌ）を受信できない。また端末は活性化されたＵＬ  ＢＷＰから外れると、ＰＵＳＣＨ又はＰＵＣＣＨを受信できない。
【００４１】
＜ＮＲ  ＤＬ  Ｃｏｎｔｒｏｌ  Ｃｈａｎｎｅｌ＞
【００４２】
ＮＲシステムにおいて、制御チャンネルの送信単位はＲＥＧ（ｒｅｓｏｕｒｃｅ  ｅｌｅｍｅｎｔ  ｇｒｏｕｐ）及び／又はＣＣＥ（ｃｏｎｔｒｏｌ  ｃｈａｎｎｅｌ  ｅｌｅｍｅｎｔ）などで定義される。
【００４３】
ＲＥＧは、時間ドメインでは１ＯＦＤＭシンボル、周波数ドメインでは１ＰＲＢに該当する。また、１ＣＣＥは６ＲＥＧに該当する。１つの制御チャンネル候補を構成するＣＣＥの数は、集合レベル（ａｇｇｒｅｇａｔｉｏｎ ｌｅｖｅｌ，ＡＬ）によって異なってもよい。例えば、集合レベルがＮである場合、制御チャンネル候補は、Ｎ個のＣＣＥからなる。
【００４４】
一方、制御リソースセット（ｃｏｎｔｒｏｌ ｒｅｓｏｕｒｃｅ ｓｅｔ，ＣＯＲＥＳＥＴ）及び探索空間（ｓｅａｒｃｈ  ｓｐａｃｅ、ＳＳ）について簡略に説明すると、ＣＯＲＥＳＥＴは制御信号送信のためのリソースのセットであり、探索空間は端末がブラインド検出を行う制御チャンネル候補の集まりである。探索空間はＣＯＲＥＳＥＴ上に設定されることができる。一例として、１つのＣＯＲＥＳＥＴに１つの探索空間が定義されると、ＣＳＳ（ｃｏｍｍｏｎ  ｓｅａｒｃｈ  ｓｐａｃｅ）のためのＣＯＲＥＳＥＴとＵＳＳ（ＵＥ−ｓｐｅｃｉｆｉｃ  ｓｅａｒｃｈ  ｓｐａｃｅ）のためのＣＯＲＥＳＥＴが各々設定される。他の例として、１つのＣＯＲＥＳＥＴに多数の探索空間が定義されてもよい。例えば、ＣＳＳとＵＳＳが同じＣＯＲＥＳＥＴに設定されてもよい。以下の例示においては、ＣＳＳはＣＳＳが設定されるＣＯＲＥＳＥＴを意味し、ＵＳＳはＵＳＳが設定されるＣＯＲＥＳＥＴなどを意味してもよい。
【００４５】
基地局はＣＯＲＥＳＥＴに対する情報を端末にシグナリングすることができる。例えば、各ＣＯＲＥＳＥＴのためにＣＯＲＥＳＥＴ Ｃｏｎｆｉｇｕｒａｔｉｏｎがシグナリングされてもよい。例えば、ＣＯＲＥＳＥＴ Ｃｏｎｆｉｇｕｒａｔｉｏｎを通じて当該ＣＯＲＥＳＥＴの時間の長さ（ｔｉｍｅ ｄｕｒａｔｉｏｎ）（ｅ．ｇ．，１／２／３シンボルなど）、周波数ドメインリソース（ｅ．ｇ．，ＲＢセット）、ＲＥＧ−ｔｏ−ＣＣＥマッピングタイプ（ｅ．ｇ．，ｉｎｔｅｒｌｅａｖｅｄ／Ｎｏｎ−ｉｎｔｅｒｌｅａｖｅｄ）、プレコーディング粒度（ｇｒａｎｕｌａｒｉｔｙ）、ＲＥＧバンドリングサイズ（ｅ．ｇ．，ｉｎｔｅｒｌｅａｖｅｄ ｍａｐｐｉｎｇ ｔｙｐｅの場合）、インターリーバーサイズ（ｅ．ｇ．，ｉｎｔｅｒｌｅａｖｅｄ ｍａｐｐｉｎｇ ｔｙｐｅの場合）及びＤＭＲＳ設定（ｅ．ｇ．，スクランブリングＩＤ）のうち少なくとも１つがシグナリングされる。１シンボル−ＣＯＲＥＳＥＴにＣＣＥを分散させるインターリービングが適用される場合、２又は６個のＲＥＧのバンドリングが行われる。２シンボル−ＣＯＲＥＳＥＴに２又は６個のＲＥＧのバンドリングが行われ、時間優先マッピングが適用されてもよい。３シンボル−ＣＯＲＥＳＥＴに３又は６個のＲＥＧのバンドリングが行われ、時間優先マッピングが適用されてもよい。ＲＥＧバンドリングが行われた場合、端末は少なくとも当該バンドリング単位に対してプレコーディングを仮定することができる。
【００４６】
＜ＵＥ  ＆  Ｎｅｔｗｏｒｋ  ｂｅｈａｖｉｏｒ  ｗｉｔｈ  Ｓｌｏｔ  Ｆｏｒｍａｔ  ｒｅｌａｔｅｄ  Ｉｎｆｏｒｍａｔｉｏｎ＞
【００４７】
以下では、ＵＥスロットフォーマット関連情報（ｓｌｏｔ ｆｏｒｍａｔ ｒｅｌａｔｅｄ ｉｎｆｏｒｍａｔｉｏｎ，ＳＦＩ）をＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）（ｅ．ｇ．，ＤＣＩ ｆｏｒｍａｔ ２−０）とＵＥ−ｓｐｅｃｉｆｉｃ ＤＣＩ（ｅ．ｇ．，ＤＬ／ＵＬ ｇｒａｎｔ ｔｈｒｏｕｇｈ ＰＤＣＣＨ）から伝達されたとき、どんなＳＦＩに従うべきかに関するＵＥの動作を定義する。例えば、ＧＣ ＰＤＣＣＨとＵＥ特定（ｓｐｅｃｉｆｉｃ）ＤＣＩの優先順位が定義される。よって、ＵＥが２つの情報を同時に有している場合、どんな情報に従うべきかを優先順位で決定することができる。後述では、ＧＣ ＰＤＣＣＨを通じて送信されるＤＣＩ（ｅ．ｇ．，ｆｏｒｍａｔ ２＿０）とＰＤＣＣＨ（iｉ．ｅ．，ｎｏｎ−ＧＣ ＰＤＣＣＨ）を通じて送信されるＵＬ／ＤＬ ｇｒａｎｔに該当するＵＥ−ｓｐｅｃｉｆｉｃ ＤＣＩ（ｅ．ｇ．，ＤＣＩ ｆｏｒｍａｔ ２＿０ではない他のフォーマットのＤＣＩ）を区分するために、ＧＣ ＰＤＣＣＨを通じて送信されるＤＣＩは単にＧＣ−ＰＤＣＣＨと称して、ＰＤＣＣＨを通じて送信されるＵＬ／ＤＬ承認（ｇｒａｎｔ）に該当するＵＥ−ｓｐｅｃｉｆｉｃ ＤＣＩは単にＤＣＩ又は動的（ｄｙｎａｍｉｃ）ＤＣＩと称してもよい。
【００４８】
また、ＧＣ ＰＤＣＣＨとＵＥ−ｓｐｅｃｉｆｉｃ ＤＣＩの信頼度が十分に確保されないときのＵＥが取れる動作を説明する。
【００４９】
また、ＧＣ ＰＤＣＣＨと準静的設定（Ｓｅｍｉ−Ｓｔａｔｉｃ Ｃｏｎｆｉｇｕｒａｔｉｏｎ）の関係についても説明する。
【００５０】
まず、ＮＲネットワークにおいてＤＬ／ＵＬリソースを設定する方法を説明する。（i）ＳＦＩ（Ｓｌｏｔ ｆｏｒｍａｔ ｒｅｌａｔｅｄ ｉｎｆｏｒｍａｔｉｏｎ）はＧＣ ＰＤＣＣＨを通じてＵＥに伝達される。ＧＣ ＰＤＣＣＨを通じて送信されるＳＦＩは当該スロットに含まれた各シンボルタイプ（ｅ．ｇ．，Ｄ／Ｕ／Ｘシンボル）を指示することができる。（ii）各ＵＥのスケジューリング情報（ｅ．ｇ．，ＵＬ／ＤＬ ｇｒａｎｔ）はＵＥ−ｓｐｅｃｉｆｉｃ ＤＣＩを通じて伝達される。例えば、特定のリソースに対するＤＬ／ＵＬスケジューリングは、当該リソースがＤＬ／ＵＬリソースであることを前提とするので、ＵＥ−ｓｐｅｃｉｆｉｃもＤＬ／ＵＬリソースを設定すると解釈できる。（iii）ＵＥの通信に必要なリソース情報やネットワーク動作の側面でＵＥが知るべき情報を準静的にシグナリングするＳｅｍｉ−Ｓｔａｔｉｃ Ｃｏｎｆｉｇｕｒａｔｉｏｎがある。Ｓｅｍｉ−Ｓｔａｔｉｃ Ｃｏｎｆｉｇｕｒａｔｉｏｎは明示的にＤＬ／ＵＬリソースを割り当てるためのシグナリングを含むことができる。また、ＲＲＣシグナリングされるＳＲ（ｓｃｈｅｄｕｌｉｎｇ ｒｅｑｕｅｓｔ）設定、ＳＲＳ（ｓｏｕｎｄｉｎｇ ｒｅｆｅｒｅｎｃｅ ｓｉｇｎａｌ）設定などＵＬ動作に関する情報は、暗示的にＵＬリソースを設定すると解釈され、ＲＲＣシグナリングされるＣＳＩ−ＲＳ設定、測定設定などＤＬ動作に関する情報は、暗示的にＤＬリソースを設定すると解釈できる。
【００５１】
ＵＥはスロットフォーマットを認識するのに、結局、（i）ＧＣ ＰＤＣＣＨ、（ii）ＵＥ−ｓｐｅｃｉｆｉｃ ＤＣＩ及び（iii）Ｓｅｍｉ−Ｓｔａｔｉｃ Ｃｏｎｆｉｇｕｒａｔｉｏｎを通じて伝達されたスロット情報又はスロット内のシンボル方向（ｄｉｒｅｃｔｉｏｎ）情報（ｅ．ｇ．，Ｕ／Ｄ／Ｘ）を用いることができる。仮に（i）〜（iii）が衝突する場合、ＵＥはどんな情報を選択して動作するかを決定する必要がある。
【００５２】
後述する説明における目次／インデックスは、発明の理解を助けるためのものであって、各インデックスが必ずしも独立した発明を構成するのではなく、特にかち合う構成や反対の記載がない限り組み合わされてもよい。
【００５３】
Ｉ．Ｓｌｏｔ  Ｆｏｒｍａｔ  Ｃｏｎｔｅｎｔｓ
【００５４】
ＧＣ ＰＤＣＣＨはスロットフォーマットをＵＥに指示することができる。ＧＣ ＰＤＣＣＨがスロットフォーマットを指示するには様々な類型があり、当該類型に従ってＧＣ ＰＤＣＣＨのペイロード（ｐａｙｌｏａｄ）サイズが異なってもよい。
【００５５】
１スロットサイズ（ｉ．ｅ．，時間領域における長さ）は、ニューマロロジーによって変更されてもよく、また１スロットを構成するシンボルの数もニューマロロジーによって様々に変更されてもよい。
【００５６】
ＧＣ ＰＤＣＣＨはシンボル単位でスロットフォーマットを定義することができる。また、ＧＣ ＰＤＣＣＨは１つのスロットに対するフォーマットを指示してもよく、複数のスロットに対するフォーマットを指示してもよい。ＧＣ ＰＤＣＣＨを通じて指示されるスロットフォーマットのコンテンツとしてＤ（ｄｏｗｎｌｉｎｋ）、Ｕ（ｕｐｌｉｎｋ）、Ｒ（Ｒｅｓｅｒｖｅｄ）、Ｋ（Ｕｎｋｎｏｗｎ）及びＥ（Ｅｍｐｔｙ）のうち少なくとも１つ以上が考慮される。後述では、説明を明確にするために、Ｄ、Ｕ、Ｒ、Ｋ及びＥのそれぞれを[Ｄ]、[Ｕ]、[Ｒ]、[Ｋ]及び [Ｅ]と表する。Ｒ、Ｋ及び／又はＥは互いに区分せずＸ（ｆｌｅｘｉｂｌｅ）と称されてもよい。
【００５７】
１．Ｐｕｒｐｏｓｅ  ｏｆ  ｅａｃｈ  ｓｌｏｔ  ｆｏｒｍａｔ  ｃｏｎｔｅｎｔ
【００５８】
[Ｄ]は、ＵＥにおけるＤＬが期待できる区間を意味してもよい。
【００５９】
[Ｕ]は、ＵＥがＵＬ信号送信可能な区間を意味してもよい。
【００６０】
[Ｅ]は、何ら信号も伝達されない区間を意味してもよい。例えば、[Ｅ]は、ネットワークが意図的に何ら信号を送信しない区間であって、ＵＥも[Ｅ]区間の間には何ら信号も送信できないことがある。一例として、[Ｅ]区間の間に隣接セルからの干渉が測定されることもある。
【００６１】
[Ｒ]と[Ｋ]については、以下のような様々な目的があり得る。
【００６２】
（１）[Ｒ]（Ｒｅｓｅｒｖｅｄ）
【００６３】
（ａ）[Ｒ]の用途
【００６４】
（i）目的１：一例として、[Ｒ]は、ＬＴＥ−ＮＲ ｄｙｎａｍｉｃ ｃｏ−ｅｘｉｓｔｅｎｃｅのための目的として用いられてもよい。ＬＴＥ ＰＤＣＣＨ領域又はＣＲＳシンボルなどが動的に変化する場合、ＬＴＥのためのリソースを確保するために[Ｒ]が用いられてもよい。ネットワークはＬＴＥのためにＧＣ ＰＤＣＣＨを通じて[Ｒ]を動的に割り当てることができる。この場合、ＮＲ ＵＥは、ＧＣ ＰＤＣＣＨを通じて[Ｒ]と設定されたリソースは制御情報／データ／ＲＳマッピングに用いられないと仮定することができる。この場合、ＵＥは同期信号（ｅ．ｇ．，ＰＳＳ／ＳＳＳ）及び／又はＰＢＣＨなどがマッピングできる同期信号ブロック（ＳＳ ｂｌｏｃｋ）も[Ｒ]にマッピングされないと仮定することができる。よって、当該リソースにＳＳ ｂｌｏｃｋ送信が設定された場合にも、ＵＥは当該リソースにＳＳ ｂｌｏｃｋが送信されないと仮定できる。よって、このような目的のｒｅｓｅｒｖｅｄリソースはＲｅｓｏｕｒｃｅ ｔｙｐｅ １のような属性を有してもよい。
【００６５】
− Ｒｅｓｏｕｒｃｅ ｔｙｐｅ １：Ｔｙｐｅ １の[Ｒ]リソースは、セル内の全てのチャンネル／信号に対してｒｅｓｅｒｖｅｄされ、動的シグナリングやＳｅｍｉ−Ｓｔａｔｉｃ Ｃｏｎｆｉｇｕｒａｔｉｏｎがｔｙｐｅ １の[Ｒ]リソースをオーバーライドすることができない。
【００６６】
（ii）目的２：一例として、ＵＲＬＬＣのためにスケジュールできるリソースがＧＣ ＰＤＣＣＨを通じて[Ｒ]と設定されることができる。ＵＲＬＬＣ ＵＥのｐｏｐｕｌａｔｉｏｎ度合いよって割り当てられる[Ｒ]リソースの量も動的に変更される。ＵＥは、基本的に、[Ｒ]がＵＲＬＬＣのためのリソースであると認識することができる。ＵＲＬＬＣ ＵＥが別のグループに分けられており、各グループは、[Ｒ]区間に対する他のＳＦＩが送信されてＵＲＬＬＣを行うことができる。このために、ネットワークは、ｅＭＢＢ ＵＥとＵＲＬＬＣ ＵＥに[Ｒ]に該当するリソースに対する指示を異ならせて送信する必要がある。例えば、ネットワークはＵＥをｅＭＢＢ ＵＥグループとＵＲＬＬＣ ＵＥグループとに分けて、ｅＭＢＢ ＵＥには特定のリソースが[Ｒ]リソースであると指示して、ＵＲＬＬＣ ＵＥには特定のリソースが[Ｄ]又は[Ｕ]リソースであると指示することができる。或いは、ネットワークは、当該リソースタイプを「Ｕｎｋｎｏｗｎ」又は「Ｆｌｅｘｉｂｌｅ」に設定して、準静的シグナリング又は動的シグナリングを通じて当該リソースのタイプを変更することもできる。
【００６７】
Ｒｅｓｏｕｒｃｅ ｔｙｐｅ ２：Ｔｙｐｅ ２の[Ｒ]リソースは、セル内にＳｅｍｉ−Ｓｔａｔｉｃ Ｃｏｎｆｉｇｕｒａｔｉｏｎ又は動的シグナリングによって用途変更の可能なＦｌｅｘｉｂｌｅリソースであってもよい。また、セル共通データ（ｅ．ｇ．，ＳＳ ｂｌｏｃｋ）なども当該リソースにマッピングすることができる。Ｔｙｐｅ ２の[Ｒ]リソースは、ｕｎｋｎｏｗｎ又はｆｌｅｘｉｂｌｅと解釈されたり、又はこれらと類似するリソースであってもよい。
【００６８】
（iii）目的３：一例として、Ｇｒａｎｔ ｆｒｅｅ ＵＬ送信からＳＲＳを保護するためにＧＣ ＰＤＣＣＨを通じて[Ｒ]が指示されてもよい。Ｇｒａｎｔ ｆｒｅｅスロットではＵＬ送信が動的に発生するとみられるが、Ｇｒａｎｔ ｆｒｅｅスロットでＳＲＳが送信される必要がある場合、ＳＲＳリソースを保護するために、ＧＣ ＰＤＣＣＨを通じて[Ｒ]が定義されてもよい。[Ｒ]に対してｇｒａｎｔ ｆｒｅｅ ｔｒａｎｓｍｉｓｓｉｏｎの信号がレートマッチング（ｒａｔｅ ｍａｔｃｈｉｎｇ）又はパンクチャリング（ｐｕｎｃｔｕｒｉｎｇ）されるため、Ｓｅｍｉ−Ｓｔａｔｉｃ Ｃｏｎｆｉｇｕｒａｔｉｏｎ（ｅ．ｇ．，Ｇｒａｎｔ ｆｒｅｅリソース）がＧＣ ＰＤＣＣＨを通じて指示された[Ｒ]リソースをオーバーライドすることができない。仮に、ネットワークがＳＲＳリソースを設定しておいたが、ＳＲＳリソースを使用しない場合、ネットワークはｄｙｎａｍｉｃ ＤＣＩでＳＲＳリソースをオーバーライドすることができる。一例として、ネットワークがＤＣＩを通じてａｐｅｒｉｏｄｉｃ ＳＲＳトリガする方式を用いるとき、ｇｒａｎｔ−ｆｒｅｅ ＵＥの他のＵＥは、当該[Ｒ]リソースを[Ｕ]とも使用できなければならない。よって、当該リソースの設定は、ｄｙｎａｍｉｃ ＤＣＩを通じて[Ｕ]又は[Ｄ]に変更できなければならない。
【００６９】
Ｒｅｓｏｕｒｃｅ ｔｙｐｅ ３：ＧＣ ＰＤＣＣＨを通じて指示されたＴｙｐｅ ３の[Ｒ]リソースに対する設定は、セル内の他のＳｅｍｉ−Ｓｔａｔｉｃ Ｃｏｎｆｉｇｕｒａｔｉｏｎをオーバーライドすることができるが、動的シグナリング（ｅ．ｇ．，ＵＬ／ＤＬ ｇｒａｎｔ ＤＣＩ）によってオーバーライドされてもよい。Ｔｙｐｅ ３のリソースが設定されると、ＳＳ ｂｌｏｃｋなどＳｅｍｉ−Ｓｔａｔｉｃ Ｃｏｎｆｉｇｕｒａｔｉｏｎによるチャンネル及びシグナルは、Ｔｙｐｅ ３のリソースに対してレートマッチング又はパンクチャリングされてもよい。一方、ＳＳ ｂｌｏｃｋなど重要なチャンネル／信号に対しては、Ｔｙｐｅ ３のリソースが重要なチャンネル／信号をオーバーライドできないように設定されてもよい。
【００７０】
（ｂ）[Ｒ]の特性
【００７１】
Ｓｅｍｉ−ｓｔａｔｉｃ ｃｏｎｆｉｇｕｒａｔｉｏｎが上述した目的で[Ｒ]を定義する場合、ＧＣ ＰＤＣＣＨも当該リソースをそのまま[Ｒ]と定義することができる。
【００７２】
また、ＧＣ ＰＤＣＣＨを通じて[Ｒ]と定義できる候補（ｃａｎｄｉｄａｔｅ）がＳｅｍｉ−ｓｔａｔｉｃ ｃｏｎｆｉｇｕｒａｔｉｏｎによって指示され、当該候補が[Ｒ]リソースとして用いられることを確定（ｃｏｎｆｉｒｍ）する意味でＧＣ ＰＤＣＣＨが[Ｒ]を指示することができる。
【００７３】
（２）[Ｋ]（Ｕｎｋｎｏｗｎ）
【００７４】
（ａ）[Ｋ]の用途
【００７５】
− 目的１：ＳＳ ｂｌｏｃｋ、ＰＢＣＨ、ＣＳＩ−ＲＳのようなｓｅｍｉ−ｓｔａｔｉｃリソースのＤＬ信号が受信できる領域に対してもＧＣ ＰＤＣＣＨを通じて[Ｋ]が設定されてもよい。仮にｓｅｍｉ−ｓｔａｔｉｃリソースに対してＧＣ ＰＤＣＣＨが[Ｄ]を指示する場合、ＵＥはｓｅｍｉ−ｓｔａｔｉｃリソースに設定されたＤＬ信号をそのまま受信するが、ｓｅｍｉ−ｓｔａｔｉｃリソースに対してＧＣ ＰＤＣＣＨが[Ｋ]を指示する場合、ネットワークがｓｅｍｉ−ｓｔａｔｉｃリソースに対するＤＬ信号の受信を非活性化（ｄｅａｃｔｉｖａｔｅ）させることとみられる。ネットワークは非活性化されたｓｅｍｉ−ｓｔａｔｉｃリソースを再び活性化させるために、ＤＣＩを用いて[Ｋ]と指示されたリソースを[Ｄ]とスケジュールすることもできる。
【００７６】
− 目的２：[Ｋ]と指示されたリソースは、[Ｄ]又は[Ｕ]と使用することもできるが、[Ｄ]と[Ｕ]のうちいずれを使用するかが決定されてない場合、ネットワークは当該リソースを[Ｋ]と定義することができる。一例として、ネットワークが複数のスロットに対するスロットフォーマットをＵＥに通知するとき、未来のスロットに対する[Ｄ]と[Ｕ]を現在で正確に決定するのが難しい場合があり、よってネットワークは[Ｋ]を用いることができる。
【００７７】
− 目的３：ＧＰ（ｇｕａｒｄ ｐｅｒｉｏｄ）を表す目的として[Ｋ]が用いられてもよい。ＵＥ毎に必要なＧＰが異なってもよい。しかしながら、ＧＣ ＰＤＣＣＨを通じて一括して全てのＵＥに同一のＧＰが設定されるしかない。ＵＥ毎に互いに異なるＵＥ−ｓｐｅｃｉｆｉｃ ＧＰを有するように、ネットワークは先ず、グループ内のＵＥが有すべき[Ｄ]及び[Ｕ]のうちｍｉｎｉｍｕｍ[Ｄ]とｍｉｎｉｍｕｍ[Ｕ]のリソースのみＧＣ ＰＤＣＣＨを通じて指示して、他の領域には[Ｋ]を割り当ててもよい。この場合、少なくともＤＣＩとＵＣＩに対するリソースは保護できる。動的（ｄｙｎａｍｉｃ）データスケジューリングによって各ＵＥ毎に[Ｋ]に対するＤＬ／ＵＬ ｄｉｒｅｃｔｉｏｎが決定され、残りの[Ｋ]がＵＥ−ｓｐｅｃｉｆｉｃ ＧＰと定義されてもよい。
【００７８】
逆に、ＧＣ ＰＤＣＣＨはＭａｘｉｍｕｍ[Ｄ]とＭａｘｉｍｕｍ[Ｕ]を指示することができる。このときの[Ｋ]は端末グループが有することのできる最小限のＧＰを示してもよい。ＵＥ−ｓｐｅｃｉｆｉｃ ＧＰを割り当てるために、ネットワークは、ＧＣ ＰＤＣＣＨを通じて指示した[Ｄ]と[Ｕ]よりも小さい[Ｄ]と[Ｕ]をＵＥにスケジュールすることができる。
【００７９】
又は、別の制御チャンネル（ｅ．ｇ．，ＤＣＩなど）又は別のｃｏｎｆｉｇｕｒａｔｉｏｎによってＵＥ−ｓｐｅｃｉｆｉｃ ＧＰが設定されてもよい。
【００８０】
（ｂ）[Ｋ]の特性
【００８１】
Ｓｅｍｉ−ｓｔａｔｉｃ ｃｏｎｆｉｇｕｒａｔｉｏｎが上述した目的で[Ｋ]を定義した場合、ＧＣ ＰＤＣＣＨも当該リソースをそのまま[Ｋ]と定義することができる。
【００８２】
また、ＧＣ ＰＤＣＣＨを通じて[Ｋ]と定義可能な候補がＳｅｍｉ−ｓｔａｔｉｃ ｃｏｎｆｉｇｕｒａｔｉｏｎによって指示され、当該候補が[Ｋ]リソースとして用いられることを確定（ｃｏｎｆｉｒｍ）する意味でＧＣ ＰＤＣＣＨが[Ｋ]を指示してもよい。
【００８３】
ＤＣＩは[Ｋ]をオーバーライドすることができる。
【００８４】
２．Ｏｖｅｒｒｉｄｅ  ｒｅｌａｔｉｏｎｓｈｉｐ  ｏｆ  ｓｌｏｔ  ｆｏｒｍａｔｓ
【００８５】
ｉ.１.（１）とｉ.１.（２）と同様に、スロットフォーマットによって、またはスロットフォーマットタイプによって、ＧＣ ＰＣＣＣＨとＳｅｍｉ−Ｓｔａｔｉｃ Ｃｏｎｆｉｇｕｒａｔｉｏｎ又はＧＣ ＰＣＣＣＨとＤＣＩ間のＳＦＩオーバーライド関係が定義されてもよい。
【００８６】
一方、ＧＣ ＰＤＣＣＨが[Ｒ]と[Ｋ]を区分して指示するのではなく、[Ｒ]と[Ｋ]のいずれも[Ｋ]と指示することもできる。
【００８７】
本発明の一実施例によれば、ネットワークは[Ｋ]をオーバーライドできるｃｏｎｆｉｇｕｒａｔｉｏｎ情報をＵＥに通知することもできる。
【００８８】
ネットワークは、ＧＣ ＰＤＣＣＨで指示された[Ｋ]に対してＵＥが適用できる以下のｃｏｎｆｉｇｕｒａｔｉｏｎ法則のうち１つを共に通知して、ＵＥは当該ｃｏｎｆｉｇｕｒａｔｉｏｎ法則に従って動作する。
【００８９】
[Ｋ]に対して：
【００９０】
− Ｓｅｍｉ−ｓｔａｔｉｃ ｃｏｎｆｉｇｕｒａｔｉｏｎ及びＤＣＩが[Ｋ]をオーバーライドできる
【００９１】
− Ｓｅｍｉ−ｓｔａｔｉｃ ｃｏｎｆｉｇｕｒａｔｉｏｎ及びＤＣＩが[Ｋ]をオーバーライドできない
【００９２】
− Ｓｅｍｉ−ｓｔａｔｉｃ ｃｏｎｆｉｇｕｒａｔｉｏｎが[Ｋ]をオーバーライドでき、及びＤＣＩが[Ｋ]をオーバーライドできない
【００９３】
− Ｓｅｍｉ−ｓｔａｔｉｃ ｃｏｎｆｉｇｕｒａｔｉｏｎが[Ｋ]をオーバーライドできず、及びＤＣＩが[Ｋ]をオーバーライドできる
【００９４】
一方、Ｓｅｍｉ−Ｓｔａｔｉｃ Ｃｏｎｆｉｇｕｒａｔｉｏｎでｓｅｍｉ−ｓｔａｔｉｃリソース（ｅ．ｇ．，ＳＳ Ｂｌｏｃｋ、ＰＢＣＨ、ＣＳＩ−ＲＳなど）に関する情報がＵＥに伝達されることができる。
【００９５】
ＧＣ ＰＤＣＣＨで通知可能なＳＦＩの[Ｄ]、[Ｕ]、[Ｋ]が各ｓｅｍｉ−ｓｔａｔｉｃリソースのｄｉｒｅｃｔｉｏｎ（ｅ．ｇ．，ＵＬ／ＤＬ）と衝突したりオーバーライドしなければならない場合があり得る。一例として、ｓｅｍｉ−ｓｔａｔｉｃ ＤＬ ＲＳリソース（ｅ．ｇ．，ＣＳＩ−ＲＳリソース）上でＧＣ ＰＤＣＣＨのＳＦＩが[Ｄ]ではなく[Ｕ]又は[Ｋ]を設定する場合、又はｓｅｍｉ−ｓｔａｔｉｃ ＵＬ ＲＳリソース（ｅ．ｇ．，ＳＲＳ）上でＧＣ ＰＤＣＣＨのＳＦＩが[Ｕ]ではなく[Ｄ]又は[Ｋ]を設定する場合のように、ｓｅｍｉ−ｓｔａｔｉｃリソース方向とＧＣ ＰＤＣＣＨのＳＦＩが衝突する場合があり得る。この場合、上述した例示と同様に、各ｓｅｍｉ−ｓｔａｔｉｃリソース（ｅ．ｇ．，ＳＳ Ｂｌｏｃｋ、ＰＢＣＨ、ＣＳＩ−ＲＳなど）に対してもネットワークはｓｅｍｉ−ｓｔａｔｉｃリソースとＧＣ ＰＤＣＣＨとのオーバーライド関係を示すｃｏｎｆｉｇｕｒａｔｉｏｎ 情報をＵＥに伝達することができる。
【００９６】
各々のｓｅｍｉ−ｓｔａｔｉｃリソースに対して：
【００９７】
− ＧＣ ＰＤＣＣＨでオーバーライドできる
【００９８】
- ＧＣ ＰＤＣＣＨでオーバーライドできない
【００９９】
３．Ｓｌｏｔ  Ｆｏｒｍａｔ  ｗｉｔｈ  Ｃｏｎｔｅｎｔｓ
【０１００】
１つのスロットが１つのフォーマットを有してもよく（ｅ．ｇ．，図２（ｂ））、又は１つのスロット内のシンボル毎にフォーマットを有してもよい（ｅ．ｇ．，図２の（ａ））。スロット内のシンボルの数はニューマロロジーによって異なってもよい。図２の例示では、１つのスロットに７個のシンボルがある環境を示す。
【０１０１】
ＩＩ．Ｐｒｉｏｒｉｔｉｚｅ  ａｍｏｎｇ  ｔｈｅ  ｃｏｎｆｉｇｕｒａｔｉｏｎｓ
【０１０２】
ＧＣ ＰＤＣＣＨが[Ｄ]や[Ｕ]を指示して、ＧＣ ＰＤＣＣＨと衝突する情報がＵＥに存在しない場合、ＵＥはＧＣ ＰＤＣＣＨを通じて指示されたように、当該リソースが[Ｄ]や[Ｕ]と使用されると仮定することができる。
【０１０３】
ＧＣ ＰＤＣＣＨが前のｃｏｎｆｉｇｕｒａｔｉｏｎと衝突したり、又は動的ＤＣＩと衝突する場合、以下のようなＵＥ動作を考慮してもよい。
【０１０４】
ＧＣ ＰＤＣＣＨがｅＭＢＢとＵＲＬＬＣ端末に共通して適用されると仮定するとき、ＧＣ ＰＤＣＣＨが[Ｄ]であると設定したリソース内にもＵＲＬＬＣ端末がスケジュールされたり又はｇｒａｎｔ ｆｒｅｅリソースが設定されてもよい。ＵＥは、このようにＧＣ ＰＤＣＣＨが指示した[Ｄ]リソース内に設定された動的スケジュールされたリソース又はｇｒａｎｔ ｆｒｅｅリソースをＵＬと仮定することができる。
【０１０５】
逆に、ＧＣ ＰＤＣＣＨが[Ｕ]であると設定したリソース上でもＵＲＬＬＣスケジューリングによってＤＬデータが送信されることができる。この場合、ネットワークはＵＲＬＬＣのために信号が送信される部分を[Ｒ]と設定することもできるが、ＧＣ ＰＤＣＣＨを通じてＳＦＩを送信した後、ＵＲＬＬＣトラフィック需要（ｄｅｍａｎｄ）及び到着（ａｒｒｉｖａｌ）によって適したスロットフォーマットは変更されてもよい。よって、少なくともＵＲＬＬＣスケジューリングに対しては、ＤＣＩがＧＣ ＰＤＣＣＨ情報をオーバーライドすることが許容されてもよい。
【０１０６】
上述した例示は、以下のように一般化されてもよい。
【０１０７】
− スロットに対する[Ｄ]／[Ｕ]に対する情報（ｅ．ｇ．，ＧＣ ＰＤＣＣＨ）が各スロット毎に受信されるか、又は一度に複数のスロットに対して受信される場合であって、ミニスロット（ｍｉｎｉ−ｓｌｏｔ）或いはスロットより小さい時間インターバルでスケジュール（ｅ．ｇ．，ＤＣＩ）される場合、ＧＣ ＰＤＣＣＨを通じて受信された情報がＤＣＩによってオーバーライドされてもよい。
【０１０８】
− Ｓｅｍｉ−ｓｔａｔｉｃ ｃｏｎｆｉｇｕｒａｔｉｏｎリソースのうちＧＣ ＰＤＣＣＨによってオーバーライドされないリソースに対しては、ＧＣ ＰＤＣＣＨがＳｅｍｉ−Ｓｔａｔｉｃ Ｃｏｎｆｉｇｕｒａｔｉｏｎに合わせて設定されるか、又はｓｅｍｉ−ｓｔａｔｉｃリソース（ｅ．ｇ．，ｇｒａｎｔ−ｆｒｅｅ ｒｅｓｏｕｒｃｅ）がＧＣ ＰＤＣＣＨより高い優先順位を有してもよい。
【０１０９】
− この動作は、[Ｄ]、[Ｕ]のみならず[Ｒ]にも同様に適用され得る。
【０１１０】
ＩＩＩ．ＧＣ−ＰＤＣＣＨ  Ｖｓ．ＤＣＩ  ｔｈｒｏｕｇｈ  ｏｔｈｅｒ  ＰＤＣＣＨ
【０１１１】
１．Ｐｒｉｏｒｉｔｉｚｅ  ａｃｃｏｒｄｉｎｇ  ｔｏ  Ｃｏｎｔｒｏｌ  Ｃｈａｎｎｅｌ
【０１１２】
本発明の一実施例によれば、ＧＣ ＰＤＣＣＨとＤＣＩとの優先順位が定義される。この場合、ＵＥは、ＧＣ ＰＤＣＣＨとＤＣＩのうち高い優先順位の制御チャンネルが伝達するＳＦＩに従う。
【０１１３】
ＧＣ ＰＤＣＣＨとＤＣＩそれぞれの送信周期、用途によって優先順位が決定されてもよい。一例として、ＧＣ ＰＤＣＣＨは周期的に送信され、ＤＣＩは必要に応じて非周期的に送信されると仮定するとき、ＤＣＩは動的にスロットフォーマットを変更するためにＳＦＩを指示するものとみられるため、ＤＣＩがＧＣ ＰＤＣＣＨをオーバーライドすることができる。もちろん、逆に、ＤＣＩが周期的に送信され、ＧＣ ＰＤＣＣＨが非周期的に必要に応じて送信される場合には、ＧＣ ＰＤＣＣＨがＤＣＩをオーバーライドすることもできる。ＧＣ ＰＤＣＣＨとＤＣＩとの優先順位はＧＣ ＰＤＣＣＨとＤＣＩのうちいずれがさらに動的にＳＦＩを伝達するかによって決定されてもよい。
【０１１４】
別の例として、ＧＣ ＰＤＣＣＨとＤＣＩとの優先順位が固定されてもよい。例えば、常に、ＧＣ ＰＤＣＣＨの優先順位が高く、又はＤＣＩの優先順位が高くてもよい。
【０１１５】
（１）Ｉｇｎｏｒｅ ｔｈｅ ｌｏｗｅｒ ｐｒｉｏｒｉｔｙ ｃｏｎｔｒｏｌ ｃｈａｎｎｅｌ
【０１１６】
ＧＣ ＰＤＣＣＨとＤＣＩの優先順位が決定され、ＵＥは優先順位の高い制御チャンネルのＳＦＩに従う間には、ＵＥは他のチャンネルを読み込まないように定義されてもよい。このためには、１つの条件が必要となるが、高い優先順位の制御チャンネルのＳＦＩが指示するｎ個のスロット（ｓ）内に、低い優先順位の制御チャンネルが受信され、低い優先順位の制御チャンネルのＳＦＩが指示するスロットの終了点がｎ個のスロット（ｓ）内に位置するとき、ＵＥは低い優先順位の制御チャンネルを無視することができる。
【０１１７】
仮に、高い優先順位の制御チャンネルのＳＦＩが指示するｎ個のスロット（ｓ）内に、低い優先順位の制御チャンネルが受信され、低い優先順位の制御チャンネルのＳＦＩが指示するスロットの終了点がｎ個のスロット（ｓ）を超える場合、ＵＥは低い優先順位の制御チャンネルのＳＦＩを用いてｎ個のスロット（ｓ）以後のスロットフォーマットを決定することができる。
【０１１８】
また、ＵＥがＤＣＩを受信した以後にＧＣ ＰＤＣＣＨによってスロットフォーマット情報が変更されることを防止するために、ＤＣＩによって信号の送受信がスケジュールされた区間の間にはＵＥがＧＣ ＰＤＣＣＨを受信しないように設定されることもできる。このようなＵＥ動作は、当該区間においてＵＥがＧＣ−ＰＤＣＣＨではない他のＰＤＣＣＨモニタリングを行うか否かのように設定されてもよい。例えば、ＵＥが他のＰＤＣＣＨモニタリングを行わない場合、ＧＣ ＰＤＣＣＨも読み込まず、逆に、ＵＥが他のＰＤＣＣＨモニタリングを行う場合には、ＧＣ ＰＤＣＣＨを読み込むこともできる。
【０１１９】
図３は、本発明の一実施例によるＧＣ−ＰＤＣＣＨとＤＣＩとの関係を示す図である。図３では、ＧＣ ＰＤＣＣＨは２番目の優先順位であり、ＤＣＩは１番目の優先順位であると仮定する。ＧＣ ＰＤＣＣＨは合計３回受信されるが、各ＧＣ ＰＤＣＣＨは２個のスロットに対するＳＦＩを指示する。ＤＣＩは３個のスロットｋ＋２、ｋ＋３、ｋ＋４に対するＳＦＩを指示する。
【０１２０】
３個のスロットｋ＋２、ｋ＋３、ｋ＋４に対するＳＦＩを指示するＤＣＩが受信されることによって、ＵＥは２個のスロットｋ＋２及びｋ＋３に対するＳＦＩを指示するＧＣ ＰＤＣＣＨを無視してＤＣＩに従ってもよい。
【０１２１】
２．Ｐｒｉｏｒｉｔｉｚｅ  ａｃｃｏｒｄｉｎｇ  ｔｏ  Ｒｅｃｅｉｖｅｄ  ｔｉｍｅ
【０１２２】
２つの制御チャンネルの間の優先順位を固定せず、ＧＣ ＰＤＣＣＨとＤＣＩのＳＦＩ情報の優先順位は、受信された時間によって決定されてもよい。
【０１２３】
例えば、ｎ個のスロットに対するＳＦＩを伝達するＧＣ ＰＤＣＣＨを先に受けて、ＧＣ ＰＤＣＣＨに従って動作していたＵＥがｎ個のスロットの途中でＤＣＩを通じて新たなＳＦＩが伝達された場合、ＵＥは新たなＳＦＩが指示するスロットからＤＣＩのＳＦＩに従って動作してもよい。
【０１２４】
逆に、ＵＥがＤＣＩを通じてｎ個のスロットに対するＳＦＩを受信して、ＤＣＩに従って動作していたＵＥがｎ個のスロットの途中でＧＣ ＰＤＣＣＨを通じて新たなＳＦＩが伝達された場合、ＵＥは新たなＳＦＩが指示するスロットからＧＣ ＰＤＣＣＨのＳＦＩに従って動作してもよい。
【０１２５】
図４は、本発明の別の一実施例によるＧＣ−ＰＤＣＣＨとＤＣＩとの関係を示す図である。
【０１２６】
図４を参照すれば、１番目のＧＣ ＰＤＣＣＨは４個のスロットｋ〜ｋ＋３に対するＳＦＩを指示する。２番目のＧＣ ＰＤＣＣＨは次の４個のスロットｋ＋４〜ｋ＋７に対するＳＦＩを指示する。
【０１２７】
１番目のＧＣ ＰＤＣＣＨに従って動作する途中でＵＥがＤＣＩを通じて３個のスロットｋ＋２〜ｋ＋４に対するＳＦＩを受信する場合、ＵＥはＤＣＩのＳＦＩに従って動作する。
【０１２８】
また、ＵＥがＤＣＩのＳＦＩに従って動作する途中でＵＥが２番目のＧＣ ＰＤＣＣＨを受信する場合、スロットｋ＋４から２番目のＧＣ ＰＤＣＣＨのＳＦＩに従って動作する。
【０１２９】
３．Ｐｒｉｏｒｉｔｉｚｅ  ａｃｃｏｒｄｉｎｇ  ｔｏ  Ｃｏｎｔｅｎｔｓ
【０１３０】
ＳＦＩ情報がＧＣ ＰＤＣＣＨとＤＣＩからそれぞれ受信された場合、ＵＥは[Ｕ]／[Ｄ]／[Ｒ]などコンテンツによって優先して従うべき情報を決定することができる。
【０１３１】
一例として、ＵＥは、[Ｄ]と[Ｕ]に関する情報はＧＣ ＰＤＣＣＨのＳＦＩに従い、[Ｒ]に関する情報はＤＣＩのＳＦＩに従うように定義されてもよい。
【０１３２】
また、逆に、ＵＥは、[Ｄ]と[Ｕ]に関する情報はＤＣＩのＳＦＩに従い、[Ｒ]に関する情報はＧＣ ＰＤＣＣＨのＳＦＩに従うように定義されてもよい。
【０１３３】
[Ｅ]はネットワークが使用しないと宣言したフォーマットであるため、ＧＣ ＰＤＣＣＨとＤＣＩのうちいずれかの制御チャンネルによって先に[Ｅ]が指示された場合、その後、その他のいずれの情報でも[Ｅ]をオーバーライドしないように定義されてもよい。
【０１３４】
このように、ＵＥは、[Ｄ]／[Ｕ]／[Ｒ]コンテンツがいずれの制御チャンネルに載せられて送信されるかによって優先順位を与えることもできる。
【０１３５】
図５は、本発明の別の一実施例によるＧＣ−ＰＤＣＣＨとＤＣＩとの関係を示す図である。説明の便宜のために、[Ｄ]／[Ｕ]に対してＧＣ ＰＤＣＣＨがＤＣＩよりも高い優先順位であり、[Ｒ]に対してＤＣＩがＧＣ ＰＤＣＣＨよりも高い優先順位であると仮定する。
【０１３６】
図５（ａ）は、ＧＣ ＰＤＣＣＨとＤＣＩを通じて指示されたＳＦＩを示し、図５（ｂ）は、ＵＥが従うＳＦＩを示す。
【０１３７】
スロットｋ＋２及びｋ＋３に対して、ＧＣ ＰＤＣＣＨは[Ｕ]を指示するが、ＤＣＩは[Ｄ]を指示する。[Ｕ]／[Ｄ]に対してはＧＣ ＰＤＣＣＨが高い優先順位であるため、ＵＥはＤＣＩの[Ｄ]部分（５０２）を無視して、スロットｋ＋２及びｋ＋３でＧＣ ＰＤＣＣＨのＳＦＩに従う。
【０１３８】
スロットｋ＋４に対して、ＧＣ ＰＤＣＣＨは[Ｕ]を指示するが、ＤＣＩは[Ｒ]を指示する。[Ｒ]に対してはＤＣＩが高い優先順位であるため、ＵＥはＧＣ ＰＤＣＣＨの[Ｕ]部分（５０１）を無視して、スロットｋ＋４でＤＣＩのＳＦＩに従う。
【０１３９】
一方、本発明の別の一例として、コンテンツを運ぶ制御チャンネルの種類には関係なく、[Ｄ]／[Ｕ]／[Ｒ]などコンテンツ間に優先順位が設定されてもよい。
【０１４０】
（１）Ｅａｃｈ  ＳＦＩ  ｃｏｎｔｅｎｔｓ
【０１４１】
上記のＩＩ.で説明したケースではない場合、一般にＧＣ ＰＤＣＣＨを通じて指示された[Ｄ]／[Ｕ]をＤＣＩでオーバーライドすることは許容されなくてよい。ただし、ＧＣ ＰＤＣＣＨを通じて指示された[Ｒ]リソースは、動的ＤＣＩによって[Ｄ]や[Ｕ]でオーバーライドできると仮定する。ＧＣ ＰＤＣＣＨを通じて指示された[Ｅ]は、動的ＤＣＩで変更されないと仮定することができる。
【０１４２】
（２）Ｒｅｌａｔｉｏｎｓｈｉｐ  ａｍｏｎｇ  [Ｄ]、[Ｕ]、[Ｅ] ｏｒ [Ｒ]
【０１４３】
ＧＣ ＰＤＣＣＨ又はＤＣＩによって[Ｅ]と[Ｒ]が先に定義されたとき、[Ｅ]と[Ｒ]に該当するスロットフォーマットに対して、ＵＥが[Ｄ]と[Ｕ]を指示する新たなＳＦＩを受けて、[Ｅ]と[Ｒ]に対するオーバーライドを試みることができる。
【０１４４】
[Ｄ]又は[Ｕ]が[Ｒ]をオーバーライドすることが許容され得る。ただし、[Ｒ]がネットワークが特定の信号送信のために先に占有したリソース（ｅ．ｇ．，[Ｒ]の目的１）ではなく、[Ｄ]又は[Ｕ]として用いるために先に占有したリソース（ｅ．ｇ．，[Ｒ]の目的２）である場合にのみオーバーライドが許容され得る。
【０１４５】
[Ｅ]はネットワークとＵＥのいずれも使用しないように定義されたスロットフォーマットであるため、一度、[Ｅ]が定義された領域に対しては他のフォーマットが[Ｅ]をオーバーライドすることが許容されないことがある。
【０１４６】
逆に、[Ｅ]又は[Ｒ]が[Ｄ]又は[Ｕ]をオーバーライドすることもできる。[Ｅ]は、常に他のフォーマットをオーバーライド可能であると定義されてもよい。目的２のために、[Ｒ]が[Ｄ]のオーバーライドを試みる場合には、ＵＥが制御情報を完全に受信できない恐れがあるため、[Ｒ]が[Ｄ]をオーバーライドすることが許容されなくてもよい。目的１のために、[Ｒ]が[Ｄ]をオーバーライドすることを試みる場合には、ｓｅｍｉ−ｓｔａｔｉｃリソースを用いるためであるので、[Ｒ]が[Ｄ]をオーバーライドすることが許容されてもよい。
【０１４７】
（３）[Ｄ] ｏｖｅｒｒｉｄｅｓ [Ｕ] / [Ｕ] ｏｖｅｒｒｉｄｅｓ [Ｄ]
【０１４８】
[Ｄ]が[Ｕ]をオーバーライドする場合には、ＵＥはＵＬ信号の長さを短縮するか、又はＵＬ信号を分けて次の[Ｕ]で送信すればよいので、このようなオーバーライドを許容することができる。[Ｕ]が[Ｄ]のオーバーライドを試みる場合は、ＵＥはネットワークが意図した[Ｄ]を完全に受信できない場合があるため、[Ｕ]が[Ｄ]をオーバーライドすることは許容されなくてもよい。
【０１４９】
（４）[Ｄ] ｏｖｅｒｒｉｄｅｓ [Ｄ] / [Ｕ] ｏｖｅｒｒｉｄｅｓ [Ｕ]
【０１５０】
先に定義された[Ｄ]又は[Ｕ]に対して、新たな[Ｄ]と[Ｕ]を指示するＳＦＩが伝達されてもよい。この場合、先に定義された[Ｄ]又は[Ｕ]と新たな[Ｄ]又は[Ｕ]のサイズによってオーバーライドの関係が決定されてもよい。
【０１５１】
一例として、既存の[Ｄ]に比べて新たに伝達された[Ｄ]のサイズが大きい場合には、新たな[Ｄ]が既存の[Ｄ]をオーバーライドすることができるが、新たな[Ｄ]のサイズが既存の[Ｄ]に比べて小さい場合は、新たな[Ｄ]が既存の[Ｄ]をオーバーライドすることは許容されなくてもよい。
【０１５２】
[Ｕ]の場合、新たな[Ｕ]のサイズには関係なく、新たな[Ｕ]が既存の[Ｕ]をオーバーライドすることもできる。
【０１５３】
（５）Ａｃｃｏｒｄｉｎｇ  ｔｏ  ｔｈｅ  ｉｎｄｉｃａｔｉｏｎ  ｒａｎｇｅ  ｏｆ  ＤＣＩ
【０１５４】
ＤＣＩで受信される情報によって、オーバーライドの関係が変更されてもよい。
【０１５５】
ＤＣＩでＰＤＳＣＨ／ＰＵＳＣＨの開始と期間（ｄｕｒａｔｉｏｎ）を指示する場合、指示された開始及び期間に基づいて、ＵＥは[Ｄ]又は[Ｕ]を仮定することができ、このような[Ｄ]／[Ｕ]の仮定は[Ｒ]をオーバーライドすることができる。
【０１５６】
ＧＣ ＰＤＣＣＨによって[Ｄ]が指示されたリソース上に、ＤＣＩによってスケジュールされたＰＵＳＣＨがマッピングされる場合であって、ＤＣＩのスケジューリングがスロットベース（ｓｌｏｔ−ｂａｓｅｄ）スケジューリングである場合は、ＵＥはこれをエラーと処理することができる。同様な状況において、ＤＣＩのスケジューリングがミニスロットベース（ｍｉｎｉ−ｓｌｏｔ ｂａｓｅｄ）スケジューリングである場合は、ＤＣＩによる[Ｕ]がＧＣ ＰＤＣＣＨによる[Ｄ]をオーバーライドすることができる。しかしながら、一般には、ミニスロットベーススケジューリングの場合、当該情報が含まれないことがあり、その場合、ＵＥはＧＣ ＰＤＣＣＨの[Ｄ]／[Ｕ]情報に従うことができる。
【０１５７】
ＤＣＩがＰＵＣＣＨリソース時間／周波数を指示する場合は、ＤＣＩがＰＤＳＣＨ／ＰＵＳＣＨ開始及び期間を指示する場合と同様なオーバーライドの関係が適用されてもよい。ＧＣ ＰＤＣＣＨによって[Ｄ]が指示されたリソース上にＤＣＩがＰＵＣＣＨをスケジュールする場合であって、ＤＣＩがスロットベーススケジューリングである場合、ＵＥはこれをエラーと処理することができる。仮に、ＤＣＩがミニスロットベーススケジューリングである場合は、ＤＣＩによる[Ｕ]がＧＣ−ＰＤＣＣＨによる[Ｄ]をオーバーライドすることができる。
【０１５８】
ＩＶ．ＵＥ−ｂｅｈａｖｉｏｒ  ａｃｃｏｒｄｉｎｇ  ｔｏ  Ｃｏｎｔｒｏｌ  Ｃｈａｎｎｅｌ  Ｒｅｃｅｐｔｉｏｎ
【０１５９】
ＵＥがＧＣ ＰＤＣＣＨ又はＤＣＩを受信できない場合におけるＵＥの動作を定義する。ＧＣ ＰＤＣＣＨとＤＣＩの各々がＳＦＩを指示できる環境において、ＵＥが各制御チャンネルを完全に受信できないときのＵＥ動作が定義される。ＵＥがＳＦＩをよく知らない状態で誤作動する場合、ネットワーク及び隣接ＵＥに干渉が起こるため、ＳＦＩをよく知らないＵＥの動作範囲が定義される必要がある。
【０１６０】
1．Ｓｔｏｐ  Ｏｐｅｒａｔｉｏｎ  ｒｅｌａｔｅｄ  ｗｉｔｈ  ＳＦＩ
【０１６１】
一例として、ＵＥはＧＣ ＰＤＣＣＨを受けないことからＳＦＩを知らない場合、次のＳＦＩを知るまで、ＳＦＩに関連する動作を停止してもよい。ＳＦＩ関連動作を停止した後、ＵＥは以下の２つを考慮することができる。
【０１６２】
− 第一に、ＵＥはＤＣＩ又はＧＣ ＰＤＣＣＨに対するモニタリングを行うことができる。ＤＣＩにもＳＦＩ情報が含まれていることがあるので、ＤＣＩでＳＦＩを受信するとＵＥは正常動作することができる。
【０１６３】
− 第二に、ＵＥはＤＣＩが受信されても無視して、ＧＣ ＰＤＣＣＨを通じてＳＦＩを探すまで待機する。ＧＣ ＰＤＣＣＨとＤＣＩの２つの制御チャンネルから送信されるＳＦＩを組み合わせてこそ正確なＳＦＩが導出可能な場合には、ＧＣ ＰＤＣＣＨのＳＦＩを知らないＵＥは、ＤＣＩを通じてＳＦＩが指示されても、ＤＣＩを通じて指示されたＳＦＩを無視することができる。
【０１６４】
２．Ｆａｌｌｂａｃｋ  Ｏｐｅｒａｔｉｏｎ
【０１６５】
ＧＣ ＰＤＣＣＨが受信できない場合、ＵＥは、基本として定義されたデフォルト（ｄｅｆａｕｌｔ）スロットフォーマットに従うか、予め定義されたフォーマットをそのまま維持することができる。チャンネル状況が極めて動的に変化しないのであれば、ＵＥが予め定義されたスロットフォーマットに従うことも合理的である。Ｄｅｆａｕｌｔスロットフォーマットは、上位層シグナリング（ｈｉｇｈｅｒ ｌａｙｅｒ ｓｉｇｎａｌｉｎｇ）や、制御チャンネルを通じて送信されてもよい。ＵＥはＤｅｆａｕｌｔスロットフォーマット又は前のスロットフォーマットに従って動作するものの、ＤＣＩ又はＧＣ ＰＤＣＣＨを持続的にモニタリングすることでＤＣＩのＳＦＩ又はＧＣ ＰＤＣＣＨのＳＦＩを探すことができる。
【０１６６】
３．Ｒｅｐｏｒｔ  Ｒｅｃｅｉｖｉｎｇ  Ｆａｉｌｕｒｅ
【０１６７】
ＧＣ ＰＤＣＣＨが受信されないとき、ＵＥがＧＣ ＰＤＣＣＨ受信失敗に対する報告をいつＵＬに送信するかに関する基本値（ｄｅｆａｕｌｔ）が定義されてもよい。
【０１６８】
ＵＥが報告無しに、ただ次のＧＣ ＰＤＣＣＨの受信を待機してもよいが、この場合、ネットワークはＵＥがＧＣ ＰＤＣＣＨを受信できない理由が、送信パワーが弱いためであるか、ＵＥ端末の問題なのかが分からない可能性がある。よって、ＵＥは、ＧＣ ＰＤＣＣＨの受信失敗に関する情報（ｅ．ｇ．，ＲＳＲＰ、ＲＳＲＱ、ＳＮＲ、ＢＬＥＲなど）をネットワークに通知することが望ましい。ネットワークは、特定のＵＥがＧＣ ＰＤＣＣＨを受信しない場合、ＧＣ ＰＤＣＣＨのコードレート（ｃｏｄｅ ｒａｔｅ）調節などによって、特定のＵＥを含む端末グループの全てのＵＥがＧＣ ＰＤＣＣＨを受信できるようにすることが可能であるため、ネットワークにＵＥからＧＣ ＰＤＣＣＨ受信失敗が報告されるのは意味がある。
【０１６９】
ＧＣ ＰＤＣＣＨ受信失敗に関する報告が行える[Ｕ]区間が定義されてもよいが、一例として、スロットパターンの最後、中間などの特定の位置に常に[Ｕ]区間が来るように定義されるか、又はＤＣＩで指示されるＳＦＩにおいて[Ｕ]区間のみを活用して報告が行われてもよい。
【０１７０】
４．Ａｃｃｏｒｄｉｎｇ  ｔｏ  Ｒｅｌｉａｂｉｌｉｔｙ  ｏｆ  Ｃｏｎｔｒｏｌ  Ｃｈａｎｎｅｌｓ
【０１７１】
ＵＥが動作を停止したり、ランダムに定められたスロットフォーマットによって動作せず、受信されたＧＣ ＰＤＣＣＨのＳＦＩを最大に活用して動作する方法も考えられる。
【０１７２】
ＧＣ ＰＤＣＣＨのＳＦＩを収容するか否かや、ＧＣ ＰＤＣＣＨとＤＣＩとのオーバーライドのための優先順位は、チャンネルの信頼度によって決定されてもよい。これはＵＥが判断するか、又はネットワークが判断してＵＥに通知してもよい。チャンネル信頼度は、ＲＳＲＰ、ＲＳＲＱ、ＳＮＲ及び／又はＢＬＥＲなどから推定されてもよいが、これに限定されない。
【０１７３】
（１）Ｎｅｔｗｏｒｋ  ｄｅｆｉｎｅｓ  Ｒｅｌｉａｂｉｌｉｔｙ
【０１７４】
ＵＥが当該ＧＣ ＰＤＣＣＨ情報をそのまま従うには信頼度が疑わしいと判断した場合には、ＵＥはＧＣ ＰＤＣＣＨ情報に対する受信情報をネットワークに報告してもよい。ネットワークは信頼度（ｒｅｌｉａｂｉｌｉｔｙ）を判断してＵＥに通知することができる。
【０１７５】
信頼度は、後述のように、Ｒｅｌｉａｂｌｅ（ｌｅｖｅｌ １）＞ｄｏｕｂｔｆｕｌ（ｌｅｖｅｌ ２）＞ｕｎｒｅｌｉａｂｌｅ（ｌｅｖｅｌ ３）の３つのステップに区分される。ＵＥはＧＣ ＰＤＣＣＨの信頼度がｄｏｕｂｔｆｕｌであると判断する場合、ＧＣ ＰＤＣＣＨ情報に対する受信情報をネットワークに報告してもよい。ＵＥがネットワークに報告する情報は、例えば、ＲＳＲＰ、ＲＳＲＱ、ＳＮＲ及び／又はＢＬＥＲなどを含むことができる。ネットワークが信頼度を判断してＵＥに動作を指示する場合、ＵＥがネットワークから指示を受信して動作を再開するまでに遅延が発生する可能性があるが、ＵＥ動作の信頼度は高くなる。
【０１７６】
（２）ＵＥ  ｄｅｆｉｎｅｓ  ｒｅｌｉａｂｉｌｉｔｙ（ａｕｔｏｎｏｍｏｕｓ）
【０１７７】
ＵＥが独自の閾値（ｔｈｒｅｓｈｏｌｄ）を有して、信頼度（ｒｅｌｉａｂｉｌｉｔｙ）を判断することができる。閾値のメトリック（ｍｅｔｒｉｃ）は様々であるが、その例として、ＲＳＲＰ、ＲＳＲＱ、ＳＮＲ、ＢＬＥＲなどがある。
【０１７８】
ＵＥが独自に判断して動作する場合とは、例えば、ＵＥが受信した制御チャンネル情報の信頼度が疑わしいが、次の制御チャンネルが受信されるまでは所定の時間が必要であり、ＵＥが動作を停止することが難しい場合などである。
【０１７９】
一例として、ＵＥが判断できる信頼度は、Ｒｅｌｉａｂｌｅ＞ｄｏｕｂｔｆｕｌ＞ｕｎｒｅｌｉａｂｌｅの３つに分けられる。信頼度によって、ＵＥは以下のように動作することができる。
【０１８０】
（ａ）Ａｌｗａｙｓ  ｆｏｌｌｏｗ  ＩＶ.１  ｏｒ  ＩＶ.２  ｉｎ  ｔｈｅ  ｄｏｕｂｔｆｕｌ＆ｕｎｒｅｌｉａｂｌｅ ｃａｓｅｓ
【０１８１】
ＳＦＩを誤って認識してＵＥが[Ｄ]を期待することは大きな問題にならないが、[Ｄ]、[Ｒ]、[Ｅ]を[Ｕ]に誤って認識してＵＬ信号を送信したときには問題になり得る。したがって、ＵＥがＧＣ ＰＤＣＣＨに対して完全に信頼できない場合には、ＧＣ ＰＤＣＣＨができないときの動作を行うことができる。
【０１８２】
（ｂ）Ｆｏｌｌｏｗ  ｄｏｕｂｔｆｕｌ  ＧＣ  ＰＤＣＣＨ
【０１８３】
ＵＥがＧＣ ＰＤＣＣＨのＳＦＩを完全に信頼できない場合でも、動作を停止しないために、ｄｏｕｂｔｆｕｌ ＧＣ ＰＤＣＣＨのＳＦＩに従って動作することもできる。
【０１８４】
Ｄｏｕｂｔｆｕｌ ＧＣ ＰＤＣＣＨのＳＦＩに従って動作するとき、ＵＥはＤＣＩのＳＦＩを用いてＳＦＩを修正（ｍｏｄｉｆｙ）してもよい。この時にも、ＤＣＩの信頼度によってＤＣＩとＧＣ ＰＤＣＣＨとのオーバーライドの関係が定義されてもよい。
【０１８５】
ＤＣＩの信頼度がｒｅｌｉａｂｌｅであるときには、ＵＥはＤＣＩのＳＦＩが指示するスロット区間の間はＤＣＩのＳＦＩに従って動作することができる。
【０１８６】
ＤＣＩの信頼度がｄｏｕｂｔｆｕｌであるときには、ＵＥは[Ｄ]に対してはＤＣＩのＳＦＩが指示する[Ｄ]に従い、[Ｕ]に対してはＧＣ ＰＤＣＣＨが指示する[Ｕ]に従ってもよい。ＵＥ−ｓｐｅｃｉｆｉｃ ＤＣＩが指示するＳＦＩ信頼度が十分に確保できない状態で、ＵＥがＵＥ−ｓｐｅｃｉｆｉｃなＳＦＩに従って[Ｕ]を誤って送信すると、他のＵＥやネットワークに影響を及ぼすためである。
【０１８７】
ＤＣＩの信頼度がｕｎｒｅｌｉａｂｌｅであるときには、ＵＥはＧＣ ＰＤＣＣＨのＳＦＩにそのまま従ってもよい。
【０１８８】
Ｖ．Ｎｅｔｗｏｒｋ−ｂｅｈａｖｉｏｒ  ａｃｃｏｒｄｉｎｇ  ｔｏ  Ｃｏｎｔｒｏｌ  Ｃｈａｎｎｅｌ  Ｒｅｃｅｐｔｉｏｎ
【０１８９】
ＧＣ ＰＤＣＣＨ又はＤＣＩを通じてＳＦＩのみならずデータの開始点と終了点がＵＥに伝達できる環境を考慮してもよい。データの開始／終了点に関する情報がＵＥに正しく受信されたか否かをネットワークが知る場合と知らない場合とでネットワーク動作がそれぞれ定義されてもよい。
【０１９０】
１つのＴＢ（ｔｒａｎｓｐｏｒｔ ｂｌｏｃｋ）は複数のＣＢＧ（ｃｏｄｅ ｂｌｏｃｋ ｇｒｏｕｐ）からなってもよく、ＵＥは各ＣＢＧ毎にＡＣＫ／ＮＡＣＫを送信する環境を考慮してもよい。
【０１９１】
問題となる環境は以下のようである。ＵＥが制御チャンネル間のオーバーライドの関係によって最初に指示されたスロットフォーマットの[Ｄ]区間よりも短いか、又は長い[Ｄ]区間を示す新たなＳＦＩを受けることができる。ネットワークがＵＥのＳＦＩ伝達状態を完全に知っている場合は問題にならないが、ネットワークはＵＥが更新されたスロットフォーマットを正しく受信したが否かを確信できない場合がある。ＵＥの状態をネットワークが知っている場合には問題にならないが、ＵＥの状態を知らなくても、ネットワークはＵＥがＤＬ信号を効率的に受信できるように動作する必要がある。
【０１９２】
１．Ｐｕｎｃｔｕｒｉｎｇ  ａｎｄ  Ｒｅｔｒａｎｓｍｉｓｓｉｏｎ
【０１９３】
ＵＥに、先に指示されたスロットフォーマットの[Ｄ]区間よりも長い[Ｄ]区間を示す新たなＳＦＩが送信され、ＵＥが新たなＳＦＩを正しく受信したか否かをネットワークが知らない場合には、ネットワークが先に指示されたスロットフォーマットの[Ｄ]区間に合わせてＤＬ信号を送信することができる。この場合、ＵＥが新たなＳＦＩを正しく受信できない場合でもＤＬ信号を受信することには問題なく、ＵＥが新たなＳＦＩを正しく受信できた場合は、使用しない剰余の[Ｄ]区間が生じるだけで、ＵＥがＤＬ信号を受信することには問題がない。
【０１９４】
一方、先に指示されたスロットフォーマットの[Ｄ]区間よりも短い[Ｄ]区間を示す新たなＳＦＩが送信されて、ＵＥが新たなＳＦＩを正しく受信したか否かをネットワークが知らない場合には問題になる。ネットワークが送信しようとするＤＬ信号が先に指示されたスロットフォーマットの[Ｄ]区間だけであれば、ＵＥが認識しているＳＦＩに関係なく、ＤＬ信号を正しく送信できる方法が必要である。
【０１９５】
一例として、ネットワークが先に指示されたスロットフォーマットの[Ｄ]区間に該当するＤＬデータを有するとき、ネットワークは先に指示されたスロットフォーマットの[Ｄ]区間と新たに指示されたスロットフォーマットの[Ｄ]区間との差分だけのＤＬデータをパンクチャリングして送信することができる。
【０１９６】
ＵＥが新たなＳＦＩを受信できない場合は、パンクチャリングされた部分までも受信を試み、ＵＥが新たなＳＦＩを受信できた場合は、パンクチャリングされた部分に対する受信を試みなくてもよい。ＵＥがパンクチャリングされた部分に対する受信を試みるか否かには関係なく、ＵＥがＴＢＳ（ｔｒａｎｓｐｏｒｔ ｂｌｏｃｋ ｓｉｚｅ）を知っている場合は、ＵＥはパンクチャリング部分に対してＮＡＣＫを送信することができる。ＮＡＣＫを受信したネットワークは、初期送信時に用いられるＲＶ（ｒｅｄｕｎｄａｎｃｙ ｖｅｒｓｉｏｎ）（ｅ．ｇ．，ＲＶ ０）でパンクチャリングされた部分をＵＥに送信することができる。また、ＵＥがパンクチャリングしない部分に対してＮＡＣＫを送信する場合、ネットワークは先に送信された当該データをＲＶ１に再送信することができる。
【０１９７】
図６は、本発明の一実施例によるＤＬ信号送信を説明するための図である。具体的に、図６（ａ）は、Ｏｌｄ ＳＦＩとＮｅｗ ＳＦＩを示し、図６（ｂ）はネットワークが送信するＤＬデータのパンクチャリングと再送信を示す。図６（ｂ）において影で表された箇所がパンクチャリングされたデータを示す。
【０１９８】
図６（ａ）を参照すれば、Ｎｅｗ ＳＦＩは[Ｅ]区間６０１を含むため、Ｏｌｄ ＳＦＩの[Ｄ]区間よりも短い[Ｄ]区間を有する。すなわち、Ｎｅｗ ＳＦＩによって既存の[Ｄ]区間の長さが減る。
【０１９９】
ネットワークが送信しようとする１ＴＢ（ｔｒａｎｓｐｏｒｔ ｂｌｏｃｋ）が４個のＣＢＧからなり、１ＴＢ送信に８個の[Ｄ]リソースが必要であると仮定する。
【０２００】
Ｎｅｗ ＳＦＩは５個の[Ｄ]リソースのみを含むので、ネットワークは１ＴＢで３個の[Ｅ]リソース６０１に該当するデータをパンクチャリングして送信することができる。よって、ＣＢＧ１及びＣＢＧ２は完全に送信され、ＣＢＧ３は一部のみ送信され、ＧＢＧ４は送信されない。
【０２０１】
ＵＥは１ＴＢＳよりも小さいデータが受信されたことが分かり、ＵＥはＣＢＧ１、ＣＢＧ２、ＣＢＧ３及びＣＢＧ４の各々に対するＨＡＲＱ−ＡＣＫ情報として、ＡＣＫ、ＡＣＫ、ＮＡＣＫ、ＮＡＣＫをそれぞれ送信する。
【０２０２】
ＨＡＲＱ−ＡＣＫ情報を受信したネットワークは、ＣＢＧ３及びＣＢＧ４をＵＥに送信する。
【０２０３】
２．Ｐａｃｋｉｎｇ  ａｎｄ  Ｒｅｔｒａｎｓｍｉｓｓｉｏｎ
【０２０４】
既存のスロットフォーマットの[Ｄ]区間よりも長い[Ｄ]区間を示す新たなＳＦＩが送信され、ネットワークはＵＥが新たなＳＦＩを正しく受信したか否かを知らない場合、ネットワークが既存のスロットフォーマットの[Ｄ]区間に合わせてＤＬ信号を送信することができる。この場合、ＵＥが新たなＳＦＩを正しく受信できない場合でも、ＤＬ信号を受信することには問題がなく、ＵＥが新たなＳＦＩを正しく受信した場合は、使用されない剰余の[Ｄ]区間は発生だけで、ＵＥがＤＬ信号を受信することには問題がない。
【０２０５】
本発明の一実施例によれば、新たなＳＦＩによって発生した剰余の[Ｄ]リソースを活用して、ＵＥのＤＬ信号受信性能を向上させることができる。例えば、ネットワークは既存の[Ｄ]区間にスケジュールされたデータを剰余の[Ｄ]リソースで再送信（繰り返し送信）することができる。
【０２０６】
再送信されるデータは周波数優先（ｆｒｅｑｕｅｎｃｙ ｆｉｒｓｔ）方式で抽出されるか（ｅ．ｇ．，図７（ｂ）及び（ｃ））、或いは時間優先（ｔｉｍｅ ｆｉｒｓｔ）方式で抽出されてもよい（ｅ．ｇ．，図７（ｄ））。
【０２０７】
周波数優先方式の抽出が使用される場合、ネットワークはＣＢＧ単位で再送信を行うか（ｅ．ｇ．，図７（ｂ））又は剰余の[Ｄ]リソースの全てにデータをマッピングするために当該ＣＢＧの途中を特定の時点で切って再送信することができる（ｅ．ｇ．，図７（ｃ））。
【０２０８】
時間優先方式の抽出が使用される場合、ＣＢＧが周波数軸において途中で切られるようになって抽出されることもある（図７（ｄ））。
【０２０９】
周波数優先方式の抽出が使用される場合、再送信に別の作業を要しないが、時間優先方式の抽出が使用される場合には、抽出されたＣＢＧ部分が剰余の[Ｄ]リソースに入るように抽出されたＣＢＧ部分に対する別のパッキング（ｐａｃｋｉｎｇ）が行われてもよい。
【０２１０】
周波数優先又は時間優先方式で抽出及び再送信を行うとき、ネットワークは、再送信するデータに対するＲＶはＲＶ０、ＲＶ１、…などと変更してもよい。例えば、ＲＶ ０、２、３、１のＲＶパターンで再送信が行われてもよい。
【０２１１】
このような再送信を行おうとするネットワークは、新たなＳＦＩを送信するとき、ＵＥにＤＣＩ及び／又は上位層シグナリングなどで再送信が行われるか否かを通知することができる。ネットワークが再送信可否を新たなＳＦＩと共に通知する場合、新たなＳＦＩを正しく受信できなかったＵＥは、既存のＳＦＩに従ってデータを受信するため、再送信されるデータを受信することはできないが、少なくとも最初のデータ受信には問題がない。新たなＳＦＩを正しく受信したＵＥは再送信が発生したことが分かるので、最初に送信されたデータ及び再送信されたデータをいずれも受信できる。
【０２１２】
図７は、本発明の一実施例によるＤＬ信号送信方法を説明するための図である。具体的に、図７（ａ）は、Ｏｌｄ ＳＦＩとＮｅｗ ＳＦＩを示し、図７（ｂ）及び図７（ｃ）は、周波数優先方式の抽出が用いられた場合を示し、図７（ｄ）は時間優先方式の抽出が用いられた場合を示す。
【０２１３】
図７（ａ）を参照すれば、Ｎｅｗ ＳＦＩは[Ｄ]区間７０１を含むため、Ｏｌｄ ＳＦＩの[Ｄ]区間よりも長い[Ｄ]区間を有する。すなわち、[Ｄ]区間７０１が剰余の[ｄ]リソースに該当する。
【０２１４】
ネットワークが送信しようとする１ＴＢ（ｔｒａｎｓｐｏｒｔ ｂｌｏｃｋ）が４個のＣＢＧからなり、１ＴＢ送信に８個の[Ｄ]リソースが必要であると仮定する。
【０２１５】
説明の便宜のために、図７（ｂ）及び（ｃ）では剰余の[Ｄ]リソースに再送信（繰り返し送信）されるデータがＣＢＧ１から始まり、図７（ｄ）では剰余の[Ｄ]リソースに再送信（繰り返し送信）されるデータが高い周波数から始まると仮定するが、本発明はここに限定されず、再送信のためのデータの選択は多様に変更されることができる。
【０２１６】
図７（ｂ）を参照すれば、ＣＢＧ単位で再送信が行われるが、ネットワークはＣＢＧ１を選択して、３個の剰余の[Ｄ]リソースのうち２個にマッピングする。
【０２１７】
図７（ｃ）を参照すれば、ネットワークはＣＢＧ１の全体とＣＢＧ２の一部を選択して、３個の剰余の[Ｄ]リソースにマッピングする。
【０２１８】
図７（ｄ）を参照すれば、ネットワークはＣＢＧ１〜ＣＢＧ４の一部の周波数帯域を選択して、３個の剰余の[Ｄ]リソースに合わせてパッキングして、パッキングされたデータをマッピングする。
【０２１９】
図８は、本発明の一実施例による下りリンク信号の送受信方法のフローを示す図である。図８は、上述した実施例に対する例示的な具現であって、本発明の権利範囲は図８に限定されず、上述した内容が図８に対して参照されてもよい。
【０２２０】
まず、端末は基地局から上位層シグナリング情報を受信する（８０５）。図８においては、説明の便宜のために、上位層シグナリング情報の１回の受信を示したが、上位層シグナリング情報は複数回にかけて送信されてもよい。上位層シグナリング情報は、例えば、Ｓｅｍｉ−ｓｔａｔｉｃ Ｕ／Ｄ ｒｅｓｏｕｒｃｅ ｃｏｎｆｉｇｕｒａｔｉｏｎを含んでもよい。上位層シグナリング情報はＵＥ−ｄｅｄｉｃａｔｅｄ ＲＲＣシグナリングされるＣＳＩ−ＲＳリソース設定、ＳＲＳリソース設定、ＣＳＩ測定設定及びＧｒａｎｔ−ｆｒｅｅリソース設定のうち少なくとも１つを含むことができる。便宜上、ＣＳＩ−ＲＳリソース設定が上位層シグナリングによって端末に設定されたと仮定する。ＣＳＩ−ＲＳリソース設定は、周期的ＣＳＩ−ＲＳに対するリソースを含んでもよい。
【０２２１】
端末はＧＣ−ＰＤＣＣＨ（ｇｒｏｕｐ ｃｏｍｍｏｎ−ｐｈｙｓｉｃａｌ ｄｏｗｎｌｉｎｋ ｃｏｎｔｒｏｌ ｃｈａｎｎｅｌ）を通じてスロットフォーマット関連情報（ＳＦＩ）を受信する（８１０）。基地局としては、図８に示された端末を含む端末グループにＧＣ−ＰＤＣＣＨを通じてスロットフォーマット関連情報（ＳＦＩ）を送信することと理解できる。ＳＦＩはスロットを構成する複数のリソース（ｅ．ｇ．，シンボル）の各々がＤ（ｄｏｗｎｌｉｎｋ）リソースであるか、Ｕ（ｕｐｌｉｎｋ）リソースであるか、又はＤ／Ｕが決定されていない第３のリソースでるかを指示することができる。
【０２２２】
端末は、ＧＣ−ＰＤＣＣＨを通じて受信されたＳＦＩによって、ＣＳＩ−ＲＳリソース上でＣＳＩ−ＲＳを受信（８１５）するか、又はＣＳＩ−ＲＳの受信を非活性化することができる。ＧＣ−ＰＤＣＣＨのＳＦＩがＣＳＩ−ＲＳリソース上にＵリソース及び第３のリソースのうちいずれか１つでも設定する場合には、端末はＣＳＩ−ＲＳリソース上に予定されていたＣＳＩ−ＲＳの受信を非活性化することができる。ＣＳＩ−ＲＳ受信を非活性化するとは、ＣＳＩ−ＲＳ受信のキャンセル（ｃａｎｃｅｌ）、すなわち端末がＣＳＩ−ＲＳリソース上でＣＳＩ−ＲＳを受信しないことを意味してもよい。よって、ＧＣ−ＰＤＣＣＨのＳＦＩがＣＳＩ−ＲＳリソースを全体としてＤリソースと設定する場合にのみ、端末はＣＳＩ−ＲＳリソース上でＣＳＩ−ＲＳを受信することができる。基地局としては、ＧＣ−ＰＤＣＣＨのＳＦＩによってＣＳＩ−ＲＳリソース上にＵリソース及び第３のリソースのうち少なくとも１つを設定して、ＣＳＩ−ＲＳリソース上に予定されていた端末グループのＣＳＩ−ＲＳの受信を非活性化させることができる。
【０２２３】
端末は上りリンク又は下りリンク信号をスケジュールするＤＣＩ（ｄｏｗｎｌｉｎｋ ｃｏｎｔｒｏｌ ｉｎｆｏｒｍａｔｉｏｎ）を受信することができる（８２０）。
【０２２４】
ＤＣＩはＧＣ−ＰＤＣＣＨのＳＦＩによる第３のリソースの設定をオーバーライドすることができる。
【０２２５】
ＤＣＩによってスケジュールされた信号がＧＣ−ＰＤＣＣＨのＳＦＩによる第３のリソースに位置する場合、端末は第３のリソース上でＤＣＩによって上りリンク信号の送信又は下りリンク信号の受信を行うことができる。
【０２２６】
ＤＣＩがＧＣ−ＰＤＣＣＨのＳＦＩによるＤリソース及びＵリソースの設定をオーバーライドすることは許容されなくてもよい。
【０２２７】
ＧＣ−ＰＤＣＣＨのＳＦＩは端末に準静的（ｓｅｍｉ−ｓｔａｔｉｃ）設定によって指示された第３のリソース候補のうち第３のリソースを指示することができる。
【０２２８】
準静的（ｓｅｍｉ−ｓｔａｔｉｃ）設定によるリソースのうちオーバーライドが許容されないリソースに対しては、ＧＣ−ＰＤＣＣＨのＳＦＩが前記準静的設定と異なるようにリソースを構成することが許容されなくてもよい。
【０２２９】
端末に設定された非承認（ｇｒａｎｔ−ｆｒｅｅ）送信リソース内にＳＦＩによって第３のリソースが設定される場合、第３のリソース上では非承認送信が行われなくてもよい。
【０２３０】
第３のリソースはフレキシブル（Ｆｌｅｘｉｂｌｅ）リソースであってもよい。一例として、第３のリソースはＤリソースとＵリソースとの間のＧＰ（ｇｕａｒｄ ｐｅｒｉｏｄ）を含んでもよい。
【０２３１】
図９は、本発明の一実施例による無線通信システム１００における基地局１０５及び端末１１０の例示的な構成を示すブロック図である。基地局１０５はｅＮＢ又はｇＮＢと称されてもよい。端末１１０はＵＥと称されてもよい。図９に示された基地局１０５及び端末１１０は、上述した実施例が行える装置の一具現例であるだけで、本発明による基地局と端末は図９に限定されない。
【０２３２】
無線通信システム１００を簡略に示すために、１つの基地局１０５と１つの端末１１０を示したが、無線通信システム１００は１つ以上の基地局及び／又は１つ以上の端末を含む。
【０２３３】
基地局１０５は、送信（Ｔｘ）データプロセッサー１１５、シンボル変調器１２０、送信器１２５、送受信アンテナ１３０、プロセッサー１８０、メモリ１８５、受信器１９０、シンボル復調器１９５及び受信データプロセッサー１９７を含むことができる。そして、端末１１０は、送信（Ｔｘ）データプロセッサー１６５、シンボル変調器１７５、送信器１７５、送受信アンテナ１３５、プロセッサー１５５、メモリ１６０、受信器１４０、シンボル復調器１５５及び受信データプロセッサー１５０を含むことができる。送受信アンテナ１３０、１３５はそれぞれ基地局１０５及び端末１１０に１つとして示されているが、基地局１０５及び端末１１０は複数の送受信アンテナを備えている。よって、本発明による基地局１０５及び端末１１０はＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明による基地局１０５はＳＵ−ＭＩＭＯ（Ｓｉｎｇｌｅ  Ｕｓｅｒ−ＭＩＭＯ）ＭＵ−ＭＩＭＯ（Ｍｕｌｔｉ  Ｕｓｅｒ−ＭＩＭＯ）方式の全てを支援することができる。
【０２３４】
下りリンク上で、送信データプロセッサー１１５はトラフィックデータを受信し、受信したトラフィックデータをフォーマットしてコードし、コードされたトラフィックデータをインターリービングして変調し（又はシンボルマッピングし）、変調シンボル（「データシンボル」）を提供する。シンボル変調器１２０はこのデータシンボルとパイロットシンボルを受信及び処理してシンボルのストリームを提供する。
【０２３５】
シンボル変調器１２０は、データ及びパイロットシンボルを多重化し、これを送信器１２５に送信する。ここで、それぞれの送信シンボルはデータシンボル、パイロットシンボル又はゼロの信号値であり得る。それぞれのシンボル周期で、パイロットシンボルが連続的に送信されることもできる。パイロットシンボルは周波数分割多重化（ＦＤＭ）、直交周波数分割多重化（ＯＦＤＭ）、時分割多重化（ＴＤＭ）又はコード分割多重化（ＣＤＭ）シンボルであり得る。
【０２３６】
送信器１２５はシンボルのストリームを受信し、これを１つ以上のアナログ信号に変換し、さらにこのアナログ信号を追加的に調節して（例えば、増幅、フィルタリング及び周波数アップコンバーティング（ｕｐｃｏｎｖｅｒｔｉｎｇ））して、無線チャンネルを介した送信に適した下りリンク信号を発生させる。すると、送信アンテナ１３０は発生した下りリンク信号を端末に送信する。
【０２３７】
端末１１０の構成において、受信アンテナ１３５は基地局からの下りリンク信号を受信し、受信された信号を受信器１４０に提供する。受信器１４０は受信された信号を調整し（例えば、フィルタリング、増幅、及び周波数ダウンコンバーティング（ｄｏｗｎｃｏｎｖｅｒｔｉｎｇ））、調整された信号をデジタル化してサンプルを獲得する。シンボル復調器１４５は受信されたパイロットシンボルを復調し、チャンネル推定のためにこれをプロセッサー１５５に提供する。
【０２３８】
また、シンボル復調器１４５はプロセッサー１５５から下りリンクに対する周波数応答推定値を受信し、受信されたデータシンボルに対してデータ復調を行って（送信されたデータシンボルの推定値である）データシンボル推定値を獲得し、データシンボル推定値を受信（Ｒｘ）データプロセッサー１５０に提供する。受信データプロセッサー１５０はデータシンボル推定値を復調（すなわち、シンボルデマッピング（ｄｅｍａｐｐｉｎｇ））し、デインターリービング（ｄｅｉｎｔｅｒｌｅａｖｉｎｇ）し、デコードして送信トラフィックデータを復旧する。
【０２３９】
シンボル復調器１４５及び受信データプロセッサー１５０による処理はそれぞれ基地局１０５でのシンボル変調器１２０及び送信データプロセッサー１１５による処理に対して相補的である。
【０２４０】
端末１１０は上りリンク上で、送信データプロセッサー１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。端末及び基地局における送信機及び受信機は１つのＲＥ（Ｒａｄｉｏ Ｆｒｅｑｕｅｎｃｙ）ユニットで構成されてもよい。
【０２４１】
基地局１０５で、端末１１０から上りリンク信号が受信アンテナ１３０を介して受信され、受信器１９０は受信した上りリンク信号を処理してサンプルを獲得する。ついで、シンボル復調器１９５はこのサンプルを処理し、上りリンクに対して受信されたパイロットシンボル及びデータシンボル推定値を提供する。受信データプロセッサー１９７はデータシンボル推定値を処理し、端末１１０から送信されたトラフィックデータを復旧する。
【０２４２】
端末１１０及び基地局１０５のそれぞれのプロセッサー１５５、１８０はそれぞれ端末１１０及び基地局１０５での動作を指示（例えば、制御、調整、管理など）する。それぞれのプロセッサー１５５、１８０はプログラムコード及びデータを格納するメモリユニット１６０、１８５と連結されることができる。メモリ１６０、１８５はプロセッサー１８０に連結され、オペレーティングシステム、アプリケーション、及び一般ファイル（ｇｅｎｅｒａｌ  ｆｉｌｅｓ）を格納する。
【０２４３】
プロセッサー１５５、１８０はコントローラー（ｃｏｎｔｒｏｌｌｅｒ）、マイクロコントローラー（ｍｉｃｒｏｃｏｎｔｒｏｌｌｅｒ）、マイクロプロセッサー（ｍｉｃｒｏｐｒｏｃｅｓｓｏｒ）、マイクロコンピューター（ｍｉｃｒｏｃｏｍｐｕｔｅｒ）などとも言える。一方、プロセッサー１５５、１８０はハードウェア（ｈａｒｄｗａｒｅ）又はファームウェア（ｆｉｒｍｗａｒｅ）、ソフトウェア、又はこれらの組合せによって実現されることができる。ハードウェアを用いて本発明の実施例を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサー１５５、１８０に備えられることができる。
【０２４４】
一方、ファームウェア又はソフトウェアを用いて本発明の実施例を具現する場合には、本発明の機能又は動作を行うモジュール、過程又は関数などを含むようにファームウェア又はソフトウェアが構成されることができ、本発明を実行するように構成されたファームウェア又はソフトウェアはプロセッサー１５５、１８０内に備えられるか、メモリ１６０、１８５に格納されてプロセッサー１５５、１８０によって駆動されることができる。
【０２４５】
端末と基地局の無線通信システム（ネットワーク）間の無線インターフェースプロトコルのレイヤーは通信システムでよく知られたＯＳＩ（ｏｐｅｎ  ｓｙｓｔｅｍ  ｉｎｔｅｒｃｏｎｎｅｃｔｉｏｎ）モデルの下位３レイヤーに基づいて第１レイヤーＬ１、第２レイヤーＬ２及び第３レイヤーＬ３に分類されることができる。物理レイヤーは前記第１レイヤーに属し、物理チャンネルを介して情報送信サービスを提供する。ＲＲＣ（Ｒａｄｉｏ  Ｒｅｓｏｕｒｃｅ  Ｃｏｎｔｒｏｌ）レイヤーは前記第３レイヤーに属し、ＵＥとネットワーク間の制御無線リソースを提供する。端末、基地局は無線通信ネットワークとＲＲＣレイヤーを介してＲＲＣメッセージを交換することができる。
【０２４６】
以上で説明した実施例は本発明の構成要素と特徴が所定の形態に結合されたものである。各構成要素又は特徴は別途の明示的言及がない限り選択的なものとして考慮されなければならない。各構成要素又は特徴は他の構成要素又は特徴と結合しない形態に実施されることができる。また、一部の構成要素及び／又は特徴を結合して本発明の実施例を構成することもできる。本発明の実施例で説明する動作の順序は変更されることができる。一実施例の一部の構成又は特徴は他の実施例に含まれることができ、あるいは他の実施例の対応する構成又は特徴と取り替えられることができる。特許請求の範囲で明示的な引用関係がない請求項を結合して実施例を構成したり出願後の補正によって新しい請求項として含ませることができるのは明らかである。
【０２４７】
本発明は本発明の精神及び必須の特徴から逸脱しない範囲内で他の特定の形態に具体化されることができるのは当業者に明らかである。よって、前記の詳細な説明は全ての面で制限的に解釈されてはいけなく例示的なものとして考慮されなければならない。本発明の範囲は添付の請求項の合理的解釈によって決定されなければならなく、本発明の等価的範囲内での全ての変更は本発明の範囲に含まれる。
【産業上の利用可能性】
【０２４８】
以上のように本発明は様々な無線通信システムに適用できる。
【図１】
2019528633.tif 000006
【図２（ａ）】
2019528633.tif 000007
【図２（ｂ）】
2019528633.tif 000008
【図３】
2019528633.tif 000009
【図４】
2019528633.tif 000010
【図５（ａ）】
2019528633.tif 000011
【図５（ｂ）】
2019528633.tif 000012
【図６】
2019528633.tif 000013
【図７】
2019528633.tif 000014
【図８】
2019528633.tif 000015
【図９】
2019528633.tif 000016
【国際調査報告】
2019528633.tif 000017
2019528633.tif 000018
2019528633.tif 000019
2019528633.tif 000020